(57)【要約】  無線通信方法、端末機器及びネットワーク機器であって、異なる多元接続方式を用いてＤＭＲＳシーケンスを伝送する端末機器のマルチユーザ多重化を実現できる。前記方法は、端末機器が、第１復調基準信号ＤＭＲＳポートに対応するＤＭＲＳシーケンスの数Ｋと、Ｋ個のＤＭＲＳシーケンス内のそれぞれのＤＭＲＳシーケンスが占有する物理リソースとを確定し、ここで、Ｋは正整数であることと、確定された前記それぞれのＤＭＲＳシーケンスが占有する物理リソース上で、前記第１ＤＭＲＳポートを使用して、ネットワーク機器に前記それぞれのＤＭＲＳシーケンスを送信することとを含む。
2020511038.tif 000002
【特許請求の範囲】
【請求項１】
端末機器が、第１復調基準信号ＤＭＲＳポートに対応するＤＭＲＳシーケンスの数Ｋと、Ｋ個のＤＭＲＳシーケンス内のそれぞれのＤＭＲＳシーケンスが占有する物理リソースとを確定し、ここで、Ｋは正整数であることと、
確定された前記それぞれのＤＭＲＳシーケンスが占有する物理リソース上で、前記第１ＤＭＲＳポートを使用して、ネットワーク機器に前記各ＤＭＲＳシーケンスを送信することとを含む、ことを特徴とする無線通信方法。
【請求項２】
端末機器が、第１ＤＭＲＳポートに対応するＤＭＲＳシーケンスの数Ｋと、Ｋ個のＤＭＲＳシーケンス内のそれぞれのＤＭＲＳシーケンスが占有する物理リソースとを確定する前記ことは、
前記第１ＤＭＲＳポートを使用して前記ＤＭＲＳシーケンスを送信することに用いた多元接続方式に基づいて、前記端末機器が、前記第１ＤＭＲＳポートに対応するＤＭＲＳシーケンスの数Ｋ、及び／又は前記Ｋ個のＤＭＲＳシーケンス内のそれぞれのＤＭＲＳシーケンスが占有する物理リソースを確定することを含む、ことを特徴とする請求項１に記載の方法。
【請求項３】
前記第１ＤＭＲＳポートを使用して前記ＤＭＲＳシーケンスを送信することに用いた多元接続方式に基づいて、前記端末機器が、前記第１ＤＭＲＳポートに対応するＤＭＲＳシーケンスの数Ｋを確定する前記ことは、
第１対応関係及び前記第１ＤＭＲＳポートを使用して前記ＤＭＲＳシーケンスを送信することに用いた多元接続方式に基づいて、前記第１ＤＭＲＳポートに対応するＤＭＲＳシーケンスの数Ｋを確定することを含み、
ここで、前記第１対応関係は、少なくとも１つの多元接続方式におけるそれぞれの多元接続方式において、前記第１ＤＭＲＳポートに対応するＤＭＲＳシーケンスの数を指示するために用いられる、ことを特徴とする請求項２に記載の方法。
【請求項４】
前記第１ＤＭＲＳポートを使用して前記ＤＭＲＳシーケンスを送信することに用いた多元接続方式に基づいて、前記端末機器が、前記Ｋ個のＤＭＲＳシーケンス内のそれぞれのＤＭＲＳシーケンスが占有する物理リソースを確定する前記ことは、
第２対応関係及び前記第１ＤＭＲＳポートを使用して前記ＤＭＲＳシーケンスを送信することに用いた前記多元接続方式に基づいて、前記Ｋ個のＤＭＲＳシーケンス内のそれぞれのＤＭＲＳシーケンスが占有する物理リソースを確定することを含み、
ここで、前記第２対応関係は、前記少なくとも１つの多元接続方式におけるそれぞれの多元接続方式において、前記第１ＤＭＲＳポートに対応する少なくとも１つのＤＭＲＳシーケンス内でそれぞれのＤＭＲＳシーケンスに対応する物理リソースを指示するために用いられる、ことを特徴とする請求項２又は請求項３に記載の方法。
【請求項５】
前記第１ＤＭＲＳポートを使用して前記ＤＭＲＳシーケンスを送信することに用いた多元接続方式が第１多元接続方式である場合、前記Ｋ個のＤＭＲＳシーケンスは第１ＤＭＲＳシーケンスを含み、ここで、前記第１ＤＭＲＳシーケンスは、前記第１多元接続方式と異なる第２多元接続方式を用いる場合に同一のＤＭＲＳポートを使用して伝送するＤＭＲＳシーケンスに含まれている第２ＤＭＲＳシーケンスと同じ物理リソースを占有するか及び／又は同じルートシーケンスを用いる、ことを特徴とする請求項２〜請求項４のいずれか１項に記載の方法。
【請求項６】
前記第１多元接続方式は離散フーリエ変換スプレッド直交周波数分割多重ＤＦＴ−Ｓ−ＯＦＤＭ多元接続方式であり、前記第２多元接続方式はサイクリックプレフィックス直交周波数分割多重ＣＰ−ＯＦＤＭ多元接続方式であり、又は、
前記第１多元接続方式はＣＰ−ＯＦＤＭ多元接続方式であり、前記第２多元接続方式はＤＦＴ−Ｓ−ＯＦＤＭ多元接続方式である、ことを特徴とする請求項５に記載の方法。
【請求項７】
前記第１ＤＭＲＳポートを使用して前記ＤＭＲＳシーケンスを送信することに用いた多元接続方式がＤＦＴ−Ｓ−ＯＦＤＭ多元接続方式である場合、前記Ｋは１より大きい整数であり、及び／又は、
前記第１ＤＭＲＳポートを使用して前記ＤＭＲＳシーケンスを送信することに用いた多元接続方式がＣＰ−ＯＦＤＭ多元接続方式である場合、前記Ｋは１である、ことを特徴とする請求項２〜請求項６のいずれか１項に記載の方法。
【請求項８】
端末機器が、第１復調基準信号ＤＭＲＳポートに対応するＤＭＲＳシーケンスの数Ｋを確定することは、
前記端末機器が、ネットワーク機器が前記ＤＭＲＳシーケンスに対応するデータ伝送をスケジューリングするダウンリンク制御情報ＤＣＩによって携帯したＤＭＲＳシーケンス指示情報に基づいて、前記第１ＤＭＲＳポートに対応するＤＭＲＳシーケンスの数Ｋを確定することを含む、ことを特徴とする請求項１に記載の方法。
【請求項９】
前記Ｋは、１より大きい整数であることを特徴とする請求項１〜請求項８のいずれか１項に記載の方法。
【請求項１０】
前記Ｋの値が１より大きい場合、前記Ｋ個のＤＭＲＳシーケンス内で長さが同じのＤＭＲＳシーケンスは同じシーケンスを用いる、ことを特徴とする請求項１〜請求項９のいずれか１項に記載の方法。
【請求項１１】
前記Ｋの値が１より大きい場合、少なくとも１つのＯＦＤＭシンボルにおいて、前記Ｋ個のＤＭＲＳシーケンス内のそれぞれのＤＭＲＳシーケンスはそれぞれ同じ周波数領域帯域幅内の異なるサブキャリアを占有する、ことを特徴とする請求項１〜請求項１０のいずれか１項に記載の方法。
【請求項１２】
前記Ｋ個のＤＭＲＳシーケンスのうち第ｍ個目のＤＭＲＳシーケンスが占有するサブキャリアは、前記周波数領域帯域幅内の第（ｍ＋ｉＫ）個目のサブキャリアであり、ここで、
【数１】
2020511038.tif 000009
であり、Ｓは前記周波数領域帯域幅に含まれるサブキャリアの数である、ことを特徴とする請求項１１に記載の方法。
【請求項１３】
前記Ｋ＝２であり、且つ前記Ｋ個のＤＭＲＳシーケンスのうち第１個目のＤＭＲＳシーケンスが占有するサブキャリアは前記周波数領域帯域幅内の第（ｎ＋ｊＮ）個目のサブキャリアであり、第２個目のＤＭＲＳシーケンスは前記周波数領域帯域幅内の他のサブキャリアを占有し、ここで、
【数２】
2020511038.tif 000010
であり、Ｎは１より大きい正整数であり、ｎはＮ以下の正整数である、ことを特徴とする請求項１１に記載の方法。
【請求項１４】
前記Ｋ個のＤＭＲＳシーケンスのうち少なくとも１つのＤＭＲＳシーケンス内のそれぞれのＤＭＲＳシーケンスは、異なるＯＦＤＭシンボルで異なるサブキャリアを占有する、ことを特徴とする請求項１〜請求項１３のいずれか１項に記載の方法。
【請求項１５】
端末機器が、第１ＤＭＲＳポートに対応するＤＭＲＳシーケンスの数Ｋと、Ｋ個のＤＭＲＳシーケンス内のそれぞれのＤＭＲＳシーケンスが占有する物理リソースとを確定する前記ことは、
前記端末機器が、第１ＤＭＲＳポートに対応するＤＭＲＳシーケンスの数Ｋを確定することと、
前記Ｋが１より大きい場合、前記端末機器が前記数Ｋに基づいて、前記Ｋ個のＤＭＲＳシーケンス内で異なるＤＭＲＳシーケンスが占有する物理リソース間のリソースオフセットを確定することとを含む、ことを特徴とする請求項１〜請求項１４のいずれか１項に記載の方法。
【請求項１６】
ネットワーク機器が、端末機器が第１復調基準信号ＤＭＲＳポートを使用して送信するＤＭＲＳシーケンスの数Ｋと、Ｋ個のＤＭＲＳシーケンス内のそれぞれのＤＭＲＳシーケンスが占有する物理リソースとを確定することと、
確定された前記それぞれのＤＭＲＳシーケンスが占有する物理リソース上で、前記端末機器から送信される前記それぞれのＤＭＲＳシーケンスを受信することとを含む、ことを特徴とする無線通信方法。
【請求項１７】
ネットワーク機器が、端末機器が第１復調基準信号ＤＭＲＳポートを使用して送信するＤＭＲＳシーケンスの数Ｋと、Ｋ個のＤＭＲＳシーケンス内のそれぞれのＤＭＲＳシーケンスが占有する物理リソースとを確定する前記ことは、
前記ネットワーク機器が、前記端末機器が前記第１ＤＭＲＳポートを使用して前記ＤＭＲＳシーケンスを送信することに用いた多元接続方式に基づいて、前記端末機器が前記第１ＤＭＲＳポートを使用して送信するＤＭＲＳシーケンスの数Ｋ、及び／又は前記Ｋ個のＤＭＲＳシーケンス内のそれぞれのＤＭＲＳシーケンスが占有する物理リソースを確定することを含む、ことを特徴とする請求項１６に記載の方法。
【請求項１８】
前記ネットワーク機器が、前記端末機器が前記第１ＤＭＲＳポートを使用して前記ＤＭＲＳシーケンスを送信することに用いた第１多元接続方式に基づいて、前記端末機器が前記第１ＤＭＲＳポートを使用して送信するＤＭＲＳシーケンスの数Ｋを確定する前記ことは、
第１対応関係及び前記端末機器が前記第１ＤＭＲＳポートを使用して前記ＤＭＲＳシーケンスを送信することに用いた多元接続方式に基づいて、前記端末機器が第１ＤＭＲＳポートを使用して送信するＤＭＲＳシーケンスの数Ｋを確定することを含み、ここで、
前記第１対応関係は、少なくとも１つの多元接続方式におけるそれぞれの多元接続方式において、前記第１ＤＭＲＳポートに対応するＤＭＲＳシーケンスの数を指示するために用いられる、ことを特徴とする請求項１７に記載の方法。
【請求項１９】
前記ネットワーク機器が、前記端末機器が前記第１ＤＭＲＳポートを使用して前記ＤＭＲＳシーケンスを送信することに用いた多元接続方式に基づいて、前記Ｋ個のＤＭＲＳシーケンス内のそれぞれのＤＭＲＳシーケンスが占有する物理リソースを確定する前記ことは、
第２対応関係及び前記端末機器が前記第１ＤＭＲＳポートを使用して前記ＤＭＲＳシーケンスを送信することに用いた多元接続方式に基づいて、前記Ｋ個のＤＭＲＳシーケンス内のそれぞれのＤＭＲＳシーケンスが占有する物理リソースを確定することを含み、ここで、
前記第２対応関係は、前記少なくとも１つの多元接続方式におけるそれぞれの多元接続方式において、前記第１ＤＭＲＳポートに対応する少なくとも１つのＤＭＲＳシーケンス内でそれぞれのＤＭＲＳシーケンスに対応する物理リソースを指示するために用いられる、ことを特徴とする請求項１７又は請求項１８に記載の方法。
【請求項２０】
前記方法は、さらに、
前記ネットワーク機器が、前記ＤＭＲＳシーケンスに対応するデータ伝送をスケジューリングするダウンリンク制御情報ＤＣＩによって携帯したＤＭＲＳシーケンス指示情報により、前記端末機器に前記ＤＭＲＳポートに対応するＤＭＲＳシーケンスの数Ｋを指示することを含む、ことを特徴とする請求項１６に記載の方法。
【請求項２１】
前記端末機器が前記第１ＤＭＲＳポートを使用して前記ＤＭＲＳシーケンスを送信することに用いた多元接続方式がＤＦＴ−Ｓ−ＯＦＤＭ多元接続方式である場合、前記Ｋは１より大きい整数であり、及び／又は、
前記端末機器が前記第１ＤＭＲＳポートを使用して前記ＤＭＲＳシーケンスを送信することに用いた多元接続方式がＣＰ−ＯＦＤＭ多元接続方式である場合、前記Ｋは１である、ことを特徴とする請求項１７〜請求項１９のいずれか１項に記載の方法。
【請求項２２】
前記Ｋは、１より大きい整数であることを特徴とする請求項１６〜請求項２１のいずれか１項に記載の方法。
【請求項２３】
前記Ｋの値が１より大きい場合、少なくとも１つのＯＦＤＭシンボルにおいて、前記Ｋ個のＤＭＲＳシーケンス内のそれぞれのＤＭＲＳシーケンスはそれぞれ同じ周波数領域帯域幅内の異なるサブキャリアを占有する、ことを特徴とする請求項１６〜請求項２２のいずれか１項に記載の方法。
【請求項２４】
前記Ｋ個のＤＭＲＳシーケンスのうち少なくとも１つのＤＭＲＳシーケンス内のそれぞれのＤＭＲＳシーケンスは、異なるＯＦＤＭシンボルで異なるサブキャリアを占有する、ことを特徴とする請求項１６〜請求項２３のいずれか１項に記載の方法。
【請求項２５】
第１復調基準信号ＤＭＲＳポートに対応するＤＭＲＳシーケンスの数Ｋと、Ｋ個のＤＭＲＳシーケンス内のそれぞれのＤＭＲＳシーケンスが占有する物理リソースとを確定するために用いられ、ここで、Ｋは正整数である処理ユニットと、
前記処理ユニットにより確定された前記それぞれのＤＭＲＳシーケンスが占有する物理リソース上で、前記第１ＤＭＲＳポートを使用して、ネットワーク機器に前記それぞれのＤＭＲＳシーケンスを送信するために用いられる送信ユニットとを含む、ことを特徴とする端末機器。
【請求項２６】
前記処理ユニットは、さらに、
前記第１ＤＭＲＳポートを使用して前記ＤＭＲＳシーケンスを送信することに用いた多元接続方式に基づいて、前記第１ＤＭＲＳポートに対応するＤＭＲＳシーケンスの数Ｋ、及び／又は前記Ｋ個のＤＭＲＳシーケンス内のそれぞれのＤＭＲＳシーケンスが占有する物理リソースを確定することに用いられる、ことを特徴とする請求項２５に記載の端末機器。
【請求項２７】
前記処理ユニットは、さらに、
第１対応関係及び前記第１ＤＭＲＳポートを使用して前記ＤＭＲＳシーケンスを送信することに用いた多元接続方式に基づいて、前記第１ＤＭＲＳポートに対応するＤＭＲＳシーケンスの数Ｋを確定するために用いられ、
ここで、前記第１対応関係は、少なくとも１つの多元接続方式におけるそれぞれの多元接続方式において、前記第１ＤＭＲＳポートに対応するＤＭＲＳシーケンスの数を指示するために用いられる、ことを特徴とする請求項２６に記載の端末機器。
【請求項２８】
前記処理ユニットは、さらに、
第２対応関係及び前記第１ＤＭＲＳポートを使用して前記ＤＭＲＳシーケンスを送信することに用いた前記多元接続方式に基づいて、前記Ｋ個のＤＭＲＳシーケンス内のそれぞれのＤＭＲＳシーケンスが占有する物理リソースを確定するために用いられ、
ここで、前記第２対応関係は、前記少なくとも１つの多元接続方式におけるそれぞれの多元接続方式において、前記第１ＤＭＲＳポートに対応する少なくとも１つのＤＭＲＳシーケンス内でそれぞれのＤＭＲＳシーケンスに対応する物理リソースを指示するために用いられる、ことを特徴とする請求項２６又は請求項２７に記載の端末機器。
【請求項２９】
前記第１ＤＭＲＳポートを使用して前記ＤＭＲＳシーケンスを送信することに用いた多元接続方式が第１多元接続方式である場合、前記Ｋ個のＤＭＲＳシーケンスは第１ＤＭＲＳシーケンスを含み、ここで、前記第１ＤＭＲＳシーケンスは、前記第１多元接続方式と異なる第２多元接続方式を用いる場合に同一のＤＭＲＳポートを使用して伝送するＤＭＲＳシーケンスに含まれている第２ＤＭＲＳシーケンスと同じ物理リソースを占有するか及び／又は同じルートシーケンスを用いる、ことを特徴とする請求項２６〜請求項２８に記載の端末機器。
【請求項３０】
前記第１多元接続方式は離散フーリエ変換スプレッド直交周波数分割多重ＤＦＴ−Ｓ−ＯＦＤＭ多元接続方式であり、前記第２多元接続方式はサイクリックプレフィックス直交周波数分割多重ＣＰ−ＯＦＤＭ多元接続方式であり、又は、
前記第１多元接続方式はＣＰ−ＯＦＤＭ多元接続方式であり、前記第２多元接続方式はＤＦＴ−Ｓ−ＯＦＤＭ多元接続方式である、ことを特徴とする請求項２９に記載の端末機器。
【請求項３１】
前記第１ＤＭＲＳポートを使用して前記ＤＭＲＳシーケンスを送信することに用いた多元接続方式がＤＦＴ−Ｓ−ＯＦＤＭ多元接続方式である場合、前記Ｋは１より大きい整数であり、及び／又は、
前記第１ＤＭＲＳポートを使用して前記ＤＭＲＳシーケンスを送信することに用いた多元接続方式がＣＰ−ＯＦＤＭ多元接続方式である場合、前記Ｋは１である、ことを特徴とする請求項２６〜請求項３０のいずれか１項に記載の端末機器。
【請求項３２】
前記処理ユニットは、さらに、
ネットワーク機器が前記ＤＭＲＳシーケンスに対応するデータ伝送をスケジューリングするダウンリンク制御情報ＤＣＩによって携帯したＤＭＲＳシーケンス指示情報に基づいて、前記第１ＤＭＲＳポートに対応するＤＭＲＳシーケンスの数Ｋを確定するために用いられる、ことを特徴とする請求項２５に記載の端末機器。
【請求項３３】
前記Ｋは、１より大きい整数であることを特徴とする請求項２５〜請求項３２のいずれか１項に記載の端末機器。
【請求項３４】
前記Ｋの値が１より大きい場合、前記Ｋ個のＤＭＲＳシーケンス内で長さが同じのＤＭＲＳシーケンスは同じシーケンスを用いる、ことを特徴とする請求項２５〜請求項３３のいずれか１項に記載の端末機器。
【請求項３５】
前記Ｋの値が１より大きい場合、少なくとも１つのＯＦＤＭシンボルにおいて、前記Ｋ個のＤＭＲＳシーケンス内のそれぞれのＤＭＲＳシーケンスはそれぞれ同じ周波数領域帯域幅内の異なるサブキャリアを占有する、ことを特徴とする請求項２５〜請求項３４のいずれか１項に記載の端末機器。
【請求項３６】
前記Ｋ個のＤＭＲＳシーケンスのうち第ｍ個目のＤＭＲＳシーケンスが占有するサブキャリアは、前記周波数領域帯域幅内の第（ｍ＋ｉＫ）個目のサブキャリアであり、ここで、
【数３】
2020511038.tif 000011
であり、Ｓは前記周波数領域帯域幅に含まれるサブキャリアの数である、ことを特徴とする請求項３５に記載の端末機器。
【請求項３７】
前記Ｋ＝２であり、且つ前記Ｋ個のＤＭＲＳシーケンスのうち第１個目のＤＭＲＳシーケンスが占有するサブキャリアは前記周波数領域帯域幅内の第（ｎ＋ｊＮ）個目のサブキャリアであり、第２個目のＤＭＲＳシーケンスは前記周波数領域帯域幅内の他のサブキャリアを占有し、ここで、
【数４】
2020511038.tif 000012
であり、Ｎは１より大きい正整数であり、ｎはＮ以下の正整数である、ことを特徴とする請求項３５に記載の端末機器。
【請求項３８】
前記Ｋ個のＤＭＲＳシーケンスのうち少なくとも１つのＤＭＲＳシーケンス内のそれぞれのＤＭＲＳシーケンスは、異なるＯＦＤＭシンボルで異なるサブキャリアを占有する、ことを特徴とする請求項２５〜請求項３７のいずれか１項に記載の端末機器。
【請求項３９】
前記処理ユニットは、さらに、
第１ＤＭＲＳポートに対応するＤＭＲＳシーケンスの数Ｋを確定するため、
前記Ｋが１より大きい場合、前記数Ｋに基づいて、前記Ｋ個のＤＭＲＳシーケンス内の異なるＤＭＲＳシーケンスが占有する物理リソース間のリソースオフセットを確定するために用いられる、ことを特徴とする請求項２５〜請求項３８のいずれか１項に記載の端末機器。
【請求項４０】
端末機器が第１復調基準信号ＤＭＲＳポートを使用して送信するＤＭＲＳシーケンスの数Ｋと、Ｋ個のＤＭＲＳシーケンス内のそれぞれのＤＭＲＳシーケンスが占有する物理リソースとを確定するために用いられる処理ユニットと、
確定された前記それぞれのＤＭＲＳシーケンスが占有する物理リソース上で、前記端末機器から送信される前記それぞれのＤＭＲＳシーケンスを受信するために用いられる送受信ユニットとを含む、ことを特徴とするネットワーク機器。
【請求項４１】
前記処理ユニットは、さらに、
前記端末機器が前記第１ＤＭＲＳポートを使用して前記ＤＭＲＳシーケンスを送信することに用いた多元接続方式に基づいて、前記端末機器が前記第１ＤＭＲＳポートを使用して送信するＤＭＲＳシーケンスの数Ｋ、及び／又は前記Ｋ個のＤＭＲＳシーケンス内のそれぞれのＤＭＲＳシーケンスが占有する物理リソースを確定するために用いられる、ことを特徴とする請求項４０に記載のネットワーク機器。
【請求項４２】
前記処理ユニットは、さらに、
第１対応関係及び前記端末機器が前記第１ＤＭＲＳポートを使用して前記ＤＭＲＳシーケンスを送信することに用いた多元接続方式に基づいて、前記端末機器が第１ＤＭＲＳポートを使用して送信するＤＭＲＳシーケンスの数Ｋを確定するために用いられ、ここで、
前記第１対応関係は、少なくとも１つの多元接続方式におけるそれぞれの多元接続方式において、前記第１ＤＭＲＳポートに対応するＤＭＲＳシーケンスの数を指示するために用いられる、ことを特徴とする請求項４１に記載のネットワーク機器。
【請求項４３】
前記処理ユニットは、さらに、
第２対応関係及び前記端末機器が前記第１ＤＭＲＳポートを使用して前記ＤＭＲＳシーケンスを送信することに用いた多元接続方式に基づいて、前記Ｋ個のＤＭＲＳシーケンス内のそれぞれのＤＭＲＳシーケンスが占有する物理リソースを確定するために用いられ、ここで、
前記第２対応関係は、前記少なくとも１つの多元接続方式におけるそれぞれの多元接続方式において、前記第１ＤＭＲＳポートに対応する少なくとも１つのＤＭＲＳシーケンス内でそれぞれのＤＭＲＳシーケンスに対応する物理リソースを指示するために用いられる、ことを特徴とする請求項４１又は請求項４２に記載のネットワーク機器
【請求項４４】
前記送受信ユニットは、さらに、
前記ＤＭＲＳシーケンスに対応するデータ伝送をスケジューリングするダウンリンク制御情報ＤＣＩによって携帯されたＤＭＲＳシーケンス指示情報により、前記端末機器に前記ＤＭＲＳポートに対応するＤＭＲＳシーケンスの数Ｋを指示するために用いられる、ことを特徴とする請求項４０に記載のネットワーク機器。
【請求項４５】
前記端末機器が前記第１ＤＭＲＳポートを使用して前記ＤＭＲＳシーケンスを送信することに用いた多元接続方式はＤＦＴ−Ｓ−ＯＦＤＭ多元接続方式である場合、前記Ｋは１より大きい整数であり、及び／又は、
前記端末機器が前記第１ＤＭＲＳポートを使用して前記ＤＭＲＳシーケンスを送信することに用いた多元接続方式はＣＰ−ＯＦＤＭ多元接続方式である場合、前記Ｋは１である、ことを特徴とする請求項４１〜請求項４３のいずれか１項に記載のネットワーク機器。
【請求項４６】
前記Ｋは、１より大きい整数であることを特徴とする請求項４０〜請求項４５のいずれか１項に記載のネットワーク機器。
【請求項４７】
前記Ｋの値が１より大きい場合、少なくとも１つのＯＦＤＭシンボルにおいて、前記Ｋ個のＤＭＲＳシーケンス内のそれぞれのＤＭＲＳシーケンスはそれぞれ同じ周波数領域帯域幅内の異なるサブキャリアを占有する、ことを特徴とする請求項４０〜請求項４６のいずれか１項に記載のネットワーク機器。
【請求項４８】
前記Ｋ個のＤＭＲＳシーケンスのうち少なくとも１つのＤＭＲＳシーケンス内のそれぞれのＤＭＲＳシーケンスは、異なるＯＦＤＭシンボルで異なるサブキャリアを占有する、ことを特徴とする請求項４０〜請求項４７のいずれか１項に記載のネットワーク機器。
【発明の詳細な説明】
【技術分野】
【０００１】
本願は、通信分野に関し、より具体的には、無線通信方法、端末機器及びネットワーク機器に関する。
【背景技術】
【０００２】
無線通信システムにおいて、復調基準信号（Ｄｅｍｏｄｕｌａｔｉｏｎ  Ｒｅｆｅｒｅｎｃｅ  ｓｉｇｎａｌ、ＤＭＲＳ）シーケンスはチャネルの関連復調に使われることができる。アップリンクでマルチユーザ多重化を行うとき、異なる端末機器間に同じＤＭＲＳシーケンスの異なる循環シフト又は異なる直交符号を用いて直交性を取得することができる。ここで、直交符号を用いて直交性を取得し、多重をサポートする端末機器の数が少ない。
【０００３】
端末機器は、例えば離散フーリエ変換スプレッド直交周波数分割多重（Ｄｉｓｃｒｅｔｅ  Ｆｏｕｒｉｅｒ  ｔｒａｎｓｆｏｒｍ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  ｂａｓｅｄ  Ｓｐｒｅａｄ  Ｓｐｅｃｔｒｕｍ、ＤＦＴ−Ｓ−ＯＦＤＭ）多元接続方式又はサイクリックプレフィックス直交周波数分割多重（Ｃｙｃｌｉｃ  Ｐｒｅｆｉｘ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  、ＣＰ−ＯＦＤＭ）多元接続方式を用いてアップリンク伝送を行うことができ、ここで、ＤＦＴ−Ｓ−ＯＦＤＭ多元接続方式はシングルキャリア周波数分割多元接続（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ、ＳＣ−ＦＤＭＡ）方式とも呼ばれ、ＣＰ−ＯＦＤＭは直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）方式とも呼ばれる。
【発明の概要】
【発明が解決しようとする課題】
【０００４】
いかに異なる多元接続方式を用いてＤＭＲＳシーケンスを伝送する端末機器のマルチユーザ多重化を実施するかは、解決すべき課題である。
【課題を解決するための手段】
【０００５】
本願の実施例は、無線通信方法、端末機器及びネットワーク機器を提供し、異なる多元接続方式を用いてＤＭＲＳシーケンスを伝送する端末機器のマルチユーザ多重化を実施できる。
【０００６】
第１態様では、無線通信方法を提供し、前記方法は、
端末機器が、第１復調基準信号ＤＭＲＳポートに対応するＤＭＲＳシーケンスの数Ｋと、Ｋ個のＤＭＲＳシーケンス内のそれぞれのＤＭＲＳシーケンスが占有する物理リソースとを確定し、ここで、Ｋは正整数であることと、
確定された前記それぞれのＤＭＲＳシーケンスが占有する物理リソース上で、前記第１ＤＭＲＳポートを使用して、ネットワーク機器に前記それぞれのＤＭＲＳシーケンスを送信することとを含む。
【０００７】
第１態様を参照して、第１態様の可能な実施形態において、端末機器が、第１ＤＭＲＳポートに対応するＤＭＲＳシーケンスの数Ｋと、Ｋ個のＤＭＲＳシーケンス内のそれぞれのＤＭＲＳシーケンスが占有する物理リソースとを確定する前記ことは、
前記第１ＤＭＲＳポートを使用して前記ＤＭＲＳシーケンスを送信することに用いた多元接続方式に基づいて、前記端末機器が、前記第１ＤＭＲＳポートに対応するＤＭＲＳシーケンスの数Ｋ、及び／又は前記Ｋ個のＤＭＲＳシーケンス内のそれぞれのＤＭＲＳシーケンスが占有する物理リソースを確定することを含む。
【０００８】
第１態様又は上記のいずれか１つの可能な実施形態を参照して、第１態様の可能な実施形態において、前記第１ＤＭＲＳポートを使用して前記ＤＭＲＳシーケンスを送信することに用いた多元接続方式に基づいて、前記端末機器が、前記第１ＤＭＲＳポートに対応するＤＭＲＳシーケンスの数Ｋを確定する前記ことは、
第１対応関係及び前記第１ＤＭＲＳポートを使用して前記ＤＭＲＳシーケンスを送信することに用いた多元接続方式に基づいて、前記第１ＤＭＲＳポートに対応するＤＭＲＳシーケンスの数Ｋを確定することを含み、
ここで、前記第１対応関係は、少なくとも１つの多元接続方式におけるそれぞれの多元接続方式において、前記第１ＤＭＲＳポートに対応するＤＭＲＳシーケンスの数を指示するために用いられる。
【０００９】
第１態様又は上記のいずれか１つの可能な実施形態を参照して、第１態様の可能な実施形態において、前記第１ＤＭＲＳポートを使用して前記ＤＭＲＳシーケンスを送信することに用いた多元接続方式に基づいて、前記端末機器は、前記Ｋ個のＤＭＲＳシーケンス内のそれぞれのＤＭＲＳシーケンスが占有する物理リソースを確定する前記ことは、
第２対応関係及び前記第１ＤＭＲＳポートを使用して前記ＤＭＲＳシーケンスを送信することに用いた前記多元接続方式に基づいて、前記Ｋ個のＤＭＲＳシーケンス内のそれぞれのＤＭＲＳシーケンスが占有する物理リソースを確定することを含み、
ここで、前記第２対応関係は、前記少なくとも１つの多元接続方式におけるそれぞれの多元接続方式において、前記第１ＤＭＲＳポートに対応する少なくとも１つのＤＭＲＳシーケンス内でそれぞれのＤＭＲＳシーケンスに対応する物理リソースを指示するために用いられる。
【００１０】
第１態様又は上記のいずれか１つの可能な実施形態を参照して、第１態様の可能な実施形態において、前記第１ＤＭＲＳポートを使用して前記ＤＭＲＳシーケンスを送信することに用いた多元接続方式が第１多元接続方式である場合、前記Ｋ個のＤＭＲＳシーケンスは第１ＤＭＲＳシーケンスを含み、ここで、前記第１ＤＭＲＳシーケンスは、前記第１多元接続方式と異なる第２多元接続方式を用いる場合に同一のＤＭＲＳポートを使用して伝送するＤＭＲＳシーケンスに含まれている第２ＤＭＲＳシーケンスと同じ物理リソースを占有するか及び／又は同じルートシーケンスを用いる。
【００１１】
第１態様又は上記のいずれか１つの可能な実施形態を参照して、第１態様の可能な実施形態において、前記第１多元接続方式は離散フーリエ変換スプレッド直交周波数分割多重ＤＦＴ−Ｓ−ＯＦＤＭ多元接続方式であり、前記第２多元接続方式はサイクリックプレフィックス直交周波数分割多重ＣＰ−ＯＦＤＭ多元接続方式であり、又は、
前記第１多元接続方式はＣＰ−ＯＦＤＭ多元接続方式であり、前記第２多元接続方式はＤＦＴ−Ｓ−ＯＦＤＭ多元接続方式である。
【００１２】
第１態様又は上記のいずれか１つの可能な実施形態を参照して、第１態様の可能な実施形態において、前記第１ＤＭＲＳポートを使用して前記ＤＭＲＳシーケンスを送信することに用いた多元接続方式がＤＦＴ−Ｓ−ＯＦＤＭ多元接続方式である場合、前記Ｋは１より大きい整数であり、及び／又は、
前記第１ＤＭＲＳポートを使用して前記ＤＭＲＳシーケンスを送信することに用いた多元接続方式がＣＰ−ＯＦＤＭ多元接続方式である場合、前記Ｋは１である。
【００１３】
第１態様又は上記のいずれか１つの可能な実施形態を参照して、第１態様の可能な実施形態において、端末機器が、第１復調基準信号ＤＭＲＳポートに対応するＤＭＲＳシーケンスの数Ｋを確定することは、
前記端末機器が、ネットワーク機器が前記ＤＭＲＳシーケンスに対応するデータ伝送をスケジューリングするダウンリンク制御情報ＤＣＩによって携帯したＤＭＲＳシーケンス指示情報に基づいて、前記第１ＤＭＲＳポートに対応するＤＭＲＳシーケンスの数Ｋを確定することを含む。
【００１４】
第１態様又は上記のいずれか１つの可能な実施形態を参照して、第１態様の可能な実施形態において、前記Ｋは１より大きい整数である。
【００１５】
第１態様又は上記のいずれか１つの可能な実施形態を参照して、第１態様の可能な実施形態において、前記Ｋの値が１より大きい場合、前記Ｋ個のＤＭＲＳシーケンス内で長さが同じのＤＭＲＳシーケンスは同じシーケンスを用いる。
【００１６】
第１態様又は上記のいずれか１つの可能な実施形態を参照して、第１態様の可能な実施形態において、前記Ｋの値が１より大きい場合、少なくとも１つのＯＦＤＭシンボルにおいて、前記Ｋ個のＤＭＲＳシーケンス内のそれぞれのＤＭＲＳシーケンスはそれぞれ同じ周波数領域帯域幅内の異なるサブキャリアを占有する。
【００１７】
第１態様又は上記のいずれか１つの可能な実施形態を参照して、第１態様の可能な実施形態において、前記Ｋ個のＤＭＲＳシーケンスのうち第ｍ個目のＤＭＲＳシーケンスが占有するサブキャリアは、前記周波数領域帯域幅内の第（ｍ＋ｉＫ）個目のサブキャリアであり、ここで、
【数１】
2020511038.tif 000003
であり、Ｓは前記周波数領域帯域幅に含まれるサブキャリアの数である。
【００１８】
第１態様又は上記のいずれか１つの可能な実施形態を参照して、第１態様の可能な実施形態において、前記Ｋ＝２であり、且つ前記Ｋ個のＤＭＲＳシーケンスのうち第１個目のＤＭＲＳシーケンスが占有するサブキャリアは前記周波数領域帯域幅内の第（ｎ＋ｊＮ）個目のサブキャリアであり、第２個目のＤＭＲＳシーケンスは前記周波数領域帯域幅内の他のサブキャリアを占有し、ここで、
【数２】
2020511038.tif 000004
であり、Ｎは１より大きい正整数であり、ｎはＮ以下の正整数である。
【００１９】
第１態様又は上記のいずれか１つの可能な実施形態を参照して、第１態様の可能な実施形態において、前記Ｋ個のＤＭＲＳシーケンスのうち少なくとも１つのＤＭＲＳシーケンス内のそれぞれのＤＭＲＳシーケンスは、異なるＯＦＤＭシンボルで異なるサブキャリアを占有する。
【００２０】
第１態様又は上記のいずれか１つの可能な実施形態を参照して、第１態様の可能な実施形態において、端末機器が、第１ＤＭＲＳポートに対応するＤＭＲＳシーケンスの数Ｋと、Ｋ個のＤＭＲＳシーケンス内のそれぞれのＤＭＲＳシーケンスが占有する物理リソースとを確定する前記ことは、
前記端末機器が、第１ＤＭＲＳポートに対応するＤＭＲＳシーケンスの数Ｋを確定することと、
前記Ｋが１より大きい場合、前記端末機器が前記数Ｋに基づいて、前記Ｋ個のＤＭＲＳシーケンス内で異なるＤＭＲＳシーケンスが占有する物理リソース間のリソースオフセットを確定することとを含む。
【００２１】
第２態様では、無線通信方法を提供し、前記方法は、
ネットワーク機器が、端末機器が第１復調基準信号ＤＭＲＳポートを使用して送信するＤＭＲＳシーケンスの数Ｋと、Ｋ個のＤＭＲＳシーケンス内のそれぞれのＤＭＲＳシーケンスが占有する物理リソースとを確定することと、
確定された前記それぞれのＤＭＲＳシーケンスが占有する物理リソース上で、前記端末機器から送信される前記それぞれのＤＭＲＳシーケンスを受信することとを含む。
【００２２】
第２態様を参照して、第２態様の可能な実施形態において、ネットワーク機器が、端末機器が第１復調基準信号ＤＭＲＳポートを使用して送信するＤＭＲＳシーケンスの数Ｋと、Ｋ個のＤＭＲＳシーケンス内のそれぞれのＤＭＲＳシーケンスが占有する物理リソースとを確定する前記ことは、
前記ネットワーク機器が、前記端末機器が前記第１ＤＭＲＳポートを使用して前記ＤＭＲＳシーケンスを送信することに用いた多元接続方式に基づいて、前記端末機器が前記第１ＤＭＲＳポートを使用して送信するＤＭＲＳシーケンスの数Ｋ、及び／又は前記Ｋ個のＤＭＲＳシーケンス内のそれぞれのＤＭＲＳシーケンスが占有する物理リソースを確定することを含む。
【００２３】
第２態様又は上記のいずれか１つの可能な実施形態を参照して、第２態様の可能な実施形態において、前記ネットワーク機器が、前記端末機器が前記第１ＤＭＲＳポートを使用して前記ＤＭＲＳシーケンスを送信することに用いた第１多元接続方式に基づいて、前記端末機器が前記第１ＤＭＲＳポートを使用して送信するＤＭＲＳシーケンスの数Ｋを確定する前記ことは、
第１対応関係及び前記端末機器が前記第１ＤＭＲＳポートを使用して前記ＤＭＲＳシーケンスを送信することに用いた多元接続方式に基づいて、前記端末機器が第１ＤＭＲＳポートを使用して送信するＤＭＲＳシーケンスの数Ｋを確定することを含み、ここで、
前記第１対応関係は、少なくとも１つの多元接続方式におけるそれぞれの多元接続方式において、前記第１ＤＭＲＳポートに対応するＤＭＲＳシーケンスの数を指示するために用いられる。
【００２４】
第２態様又は上記のいずれか１つの可能な実施形態を参照して、第２態様の可能な実施形態において、前記ネットワーク機器が、前記端末機器が前記第１ＤＭＲＳポートを使用して前記ＤＭＲＳシーケンスを送信することに用いた多元接続方式に基づいて、前記Ｋ個のＤＭＲＳシーケンス内のそれぞれのＤＭＲＳシーケンスが占有する物理リソースを確定する前記ことは、
第２対応関係及び前記端末機器が前記第１ＤＭＲＳポートを使用して前記ＤＭＲＳシーケンスを送信することに用いた多元接続方式に基づいて、前記Ｋ個のＤＭＲＳシーケンス内のそれぞれのＤＭＲＳシーケンスが占有する物理リソースを確定することを含み、ここで、
前記第２対応関係は、前記少なくとも１つの多元接続方式におけるそれぞれの多元接続方式において、前記第１ＤＭＲＳポートに対応する少なくとも１つのＤＭＲＳシーケンス内でそれぞれのＤＭＲＳシーケンスに対応する物理リソースを指示するために用いられる。
【００２５】
第２態様又は上記のいずれか１つの可能な実施形態を参照して、第２態様の可能な実施形態において、前記方法は、さらに、
前記ネットワーク機器が、前記ＤＭＲＳシーケンスに対応するデータ伝送をスケジューリングするダウンリンク制御情報ＤＣＩ携帯したＤＭＲＳシーケンス指示情報により、前記端末機器に前記ＤＭＲＳポートに対応するＤＭＲＳシーケンスの数Ｋを指示することを含む。
【００２６】
第２態様又は上記のいずれか１つの可能な実施形態を参照して、第２態様の可能な実施形態において、前記端末機器が前記第１ＤＭＲＳポートを使用して前記ＤＭＲＳシーケンスを送信することに用いた多元接続方式がＤＦＴ−Ｓ−ＯＦＤＭ多元接続方式である場合、前記Ｋは１より大きい整数であり、及び／又は、
前記端末機器が前記第１ＤＭＲＳポートを使用して前記ＤＭＲＳシーケンスを送信することに用いた多元接続方式がＣＰ−ＯＦＤＭ多元接続方式である場合、前記Ｋは１である。
【００２７】
第２態様又は上記のいずれか１つの可能な実施形態を参照して、第２態様の可能な実施形態において、前記Ｋは１より大きい整数である。
【００２８】
第２態様又は上記のいずれか１つの可能な実施形態を参照して、第２態様の可能な実施形態において、前記Ｋの値が１より大きい場合、少なくとも１つのＯＦＤＭシンボルにおいて、前記Ｋ個のＤＭＲＳシーケンス内のそれぞれのＤＭＲＳシーケンスはそれぞれ同じ周波数領域帯域幅内の異なるサブキャリアを占有する。
【００２９】
第２態様又は上記のいずれか１つの可能な実施形態を参照して、第２態様の可能な実施形態において、前記Ｋ個のＤＭＲＳシーケンスのうち少なくとも１つのＤＭＲＳシーケンス内のそれぞれのＤＭＲＳシーケンスは、異なるＯＦＤＭシンボルで異なるサブキャリアを占有する。
【００３０】
第３態様では、端末機器を提供し、前記端末機器は、上記第１態様又はそのいずれか１つの可能な実施形態における方法を実現するためのユニットを含んでもよい。
【００３１】
第４態様では、ネットワーク機器を提供し、前記ネットワーク機器は、上記第２態様又はそのいずれか１つの可能な実施形態における方法を実現するためのユニットを含んでもよい。
【００３２】
第５態様では、端末機器を提供し、前記端末機器は、コマンドが格納されているメモリとプロセッサを含んでもよく、前記メモリは、メモリに格納されているコマンドを呼び出して第１態様又はそのいずれか１つの選択可能な実施形態における方法を実現するために用いられる。
【００３３】
第６態様において、ネットワーク機器を提供し、前記ネットワーク機器は、コマンドが格納されたメモリとプロセッサを含んでもよく、前記メモリは、メモリに格納されているコマンドを呼び出して第２態様又はその任意の選択可能な実施形態における方法を実現するために用いられる。
【００３４】
第７態様では、コンピュータ可読媒体を提供し、前記コンピュータ可読媒体には、端末機器によって実行されるためのプログラムコードが格納され、前記プログラムコードは、第１態様又はその各種実施形態における方法を実行するためのコマンドを含み、又は第２態様又はその各種実施形態における方法を実行するためのコマンドコマンドを含む。
【００３５】
第８態様では、システムチップを提供し、前記システムチップは、入力インターフェースと、出力インターフェースと、メモリと、前記メモリ内のコードを実行するためのプロセッサとを含み、前記コードが実行されるとき、前記プロセッサにより前記第１態様及び各種実施形態における方法を実現することができ、又は前記第２態様及び各種実施形態における方法を実現することができる。
【発明の効果】
【００３６】
したがって、本願の実施例において、１つのＤＭＲＳポートに対応するＤＭＲＳシーケンスの数は唯一ではなく、柔軟に変更することができ、例えば、直交多重を必要とする複数の端末機器が用いられる多元接続方式に基づいて設置することができ、それにより多元接続方式を用いる端末機器のマルチユーザ直交多重をサポートできる。そしてさらに、１つのＤＭＲＳポートに対応するＤＭＲＳシーケンスの数及びそれぞれのシーケンスが占有するリソースを柔軟に変更することができるため、異なる多元接続方式を用いる端末機器が少なくとも１つのＤＭＲＳシーケンスに対応するルートシーケンスがあるか及び／又は同じ物理リソースを占有することを実施でき、それにより異なる多元接続方式を用いる端末機器は異なる循環シフトを使用してＤＭＲＳ直交性を取得でき、したがって、さらに多い端末機器のマルチユーザ多重化伝送をサポートすることが実現できる。
【図面の簡単な説明】
【００３７】
本願の実施例の技術的解決手段をより明確に説明するために、以下、実施例又は先行技術の説明に必要な添付図面について簡単に説明するが、以下の説明における添付図面は、本願の一部の実施例にすぎず、当業者であれば、創造的な働きなしにこれらの添付図面に基づいて他の添付図面を取得することができることは明らかである。
【図１】本願の実施例に係る無線通信システムの概略図である。
【図２】本願の実施例に係る無線通信方法の概略フローチャートである。
【図３】本願の実施例に係るＤＭＲＳシーケンスのリソース占有の概略図である。
【図４】本願の実施例に係るＤＭＲＳシーケンスのリソース占有の概略図である。
【図５】本願の実施例に係るＤＭＲＳシーケンスのリソース占有の概略図である。
【図６】本願の実施例に係るＤＭＲＳシーケンスのリソース占有の概略図である。
【図７】本願の実施例に係るＤＭＲＳシーケンスのリソース占有の概略図である。
【図８】本願の実施例に係るＤＭＲＳシーケンスのリソース占有の概略図である。
【図９】本願の実施例に係るＤＭＲＳシーケンスのリソース占有の概略図である。
【図１０】本願の実施例に係る端末機器の概略ブロック図である。
【図１１】本願の実施例に係るネットワーク機器の概略ブロック図である。
【図１２】本願の実施例に係る通信機器の概略ブロック図である。
【図１３】本願の実施例に係るシステムチップの概略ブロック図である。
【発明を実施するための形態】
【００３８】
以下、本願の実施例における添付図面を参照しながら、本願の実施例における技術的解決手段について説明を行うが、説明された実施例は本願の一部にすぎず、全部の実施例ではない。本願の実施例に基づいて、当業者の創造的な働きなしに得られたすべての他の実施例は、いずれも本願の保護範囲に属すことは明らかである。
【００３９】
本願の実施例の技術的解決手段は様々な通信システム、例えば、汎欧州デジタル移動電話方式（Ｇｌｏｂａｌ  Ｓｙｓｔｅｍ  ｏｆ  Ｍｏｂｉｌｅ  ｃｏｍｍｕｎｉｃａｔｉｏｎ、略称「ＧＳＭ」）、符号分割多元接続（Ｃｏｄｅ  Ｄｉｖｉｓｉｏｎ  Ｍｕｌｔｉｐｌｅ  Ａｃｃｅｓｓ、略称「ＣＤＭＡ」）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称「ＷＣＤＭＡ」）システム、汎用パケット無線カバレッジ（Ｇｅｎｅｒａｌ  Ｐａｃｋｅｔ  Ｒａｄｉｏ  Ｓｅｒｖｉｃｅ、略称「ＧＰＲＳ」）、ロングタームエボリューション（Ｌｏｎｇ  Ｔｅｒｍ  Ｅｖｏｌｕｔｉｏｎ、略称「ＬＴＥ」）システム、ＬＴＥ周波数分割複信（Ｆｒｅｑｕｅｎｃｙ  Ｄｉｖｉｓｉｏｎ  Ｄｕｐｌｅｘ、略称「ＦＤＤ」）システム、ＬＴＥ時分割複信（Ｔｉｍｅ  Ｄｉｖｉｓｉｏｎ  Ｄｕｐｌｅｘ、略称「ＴＤＤ」）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略称「ＵＭＴＳ」）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、略称「ＷｉＭＡＸ」）通信システム又は次世代の５Ｇシステムなどに適用されることができる。
【００４０】
図１は、本願の実施例に適用される無線通信システム１００を示す。当該無線通信システム１００は、ネットワーク機器１１０を含んでもよい。ネットワーク機器１００は、端末機器と通信する機器であってもよい。ネットワーク機器１００は、特定の地理的地域に通信カバレッジを提供し、当該カバレッジエリア内に位置する端末機器（例えばＵＥ）と通信することができる。選択的に、当該ネットワーク機器１００は、ＧＳＭシステム又はＣＤＭＡシステムにおける基地局（Ｂａｓｅ  Ｔｒａｎｓｃｅｉｖｅｒ  Ｓｔａｔｉｏｎ、略称ＢＴＳ）であってもよく、ＷＣＤＭＡシステムにおける基地局（ＮｏｄｅＢ、略称ＮＢ）であってもよく、ＬＴＥシステムにおける進化型基地局（Ｅｖｏｌｖｅｄ  Ｎｏｄｅ  Ｂ、略称ｅＮＢ又はｅＮｏｄｅＢ）であってもよく、クラウド無線アクセスネットワーク（Ｃｌｏｕｄ  Ｒａｄｉｏ  Ａｃｃｅｓｓ  Ｎｅｔｗｏｒｋ、略称ＣＲＡＮ）における無線コントローラであってもよく、又は当該ネットワーク機器は、中継局、アクセスポイント、車載機器、ウェアラブル機器、次世代の５Ｇネットワークにおけるネットワーク側機器もしくは次世代の進化型地上波公共移動通信ネットワーク（Ｐｕｂｌｉｃ  Ｌａｎｄ  Ｍｏｂｉｌｅ  Ｎｅｔｗｏｒｋ、略称ＰＬＭＮ）におけるネットワーク機器などであってもよい。
【００４１】
当該無線通信システム１００は、さらに、ネットワーク機器１１０のサービス範囲内に位置する少なくとも１つの端末機器１２０を含む。端末機器１２０は、移動型でも固定型でもよい。選択的に、端末機器１２０は、アクセス端末、ユーザ機器（Ｕｓｅｒ  Ｅｑｕｉｐｍｅｎｔ、略称ＵＥ）、ユーザユニット、加入者局、移動局、モバイルステーション、遠隔局、遠隔端末、移動機器、ユーザ端末、端末、無線通信機器、ユーザ代理機器又はユーザ装置であってもよい。アクセス端末は、携帯電話、無線電話、セッションイニシエーションプロトコル（Ｓｅｓｓｉｏｎ  Ｉｎｉｔｉａｔｉｏｎ  Ｐｒｏｔｏｃｏｌ、略称ＳＩＰ）電話、無線ローカルループ（Ｗｉｒｅｌｅｓｓ  Ｌｏｃａｌ  Ｌｏｏｐ、略称ＷＬＬ）局、携帯情報端末（Ｐｅｒｓｏｎａｌ  Ｄｉｇｉｔａｌ  Ａｓｓｉｓｔａｎｔ、略称ＰＤＡ）、無線通信機能を有するハンドヘルド機器、計算機器又は無線モデムに接続されたその他処理機器、車載機器、ウェアラブル機器、次世代の５Ｇネットワークにおける端末機器又は次世代の進化型ＰＬＭＮにおける端末機器などであってもよい。
【００４２】
選択的に、５Ｇシステム又はネットワークは、新しい無線（Ｎｅｗ  Ｒａｄｉｏ、ＮＲ）システム又はネットワークとも呼ばれる。
【００４３】
図１は、１つのネットワーク機器及び２つの端末機器を例示的に示し、選択的に、当該無線通信システム１００は、複数のネットワーク機器を含んでもよく、かつ各ネットワーク機器のカバレッジ範囲内に異なる数量の端末機器を含むことができ、本願の実施例ではこれについて限定しない。
【００４４】
選択的に、当該無線通信システム１００は、さらに、ネットワークコントローラ、移動管理エンティティなどの他のネットワークエンティティを含むことができ、本願の実施例ではこれについて限定しない。
【００４５】
なを、本明細書において、用語「システム」及び「ネットワーク」はよく交換的に使用されることを理解されたい。本明細書において、用語「及び／又は」は、関連対象の関連関係を説明するものであって、３つの関係があり得ることを表し、例えば、Ａ及び／又はＢは、Ａのみある場合、ＡとＢ両方ともある場合、Ｂのみある場合など３つの場合を表す。また、本明細書において、符号「／」は、一般的にコンテキストオブジェクトが「又は」という関係であることを示す。
【００４６】
図２は、本願の実施例に係る無線通信方法２００の概略フローチャートである。ここで、当該方法２００は、選択的に上記の無線通信システム１００に使用されることができる。
【００４７】
図２に示すように、当該方法２００は以下を含む。
【００４８】
２１０では、端末機器は、第１ＤＭＲＳポートに対応するＤＭＲＳシーケンスの数Ｋと、Ｋ個のＤＭＲＳシーケンス内のそれぞれのＤＭＲＳシーケンスが占有する物理リソースとを確定し、ここで、Ｋは正整数である。
【００４９】
ここで、Ｋは、１であってもよく、又は２、３、４若しくは６などのように１より大きくてもよい。
【００５０】
ここで、前記第１ＤＭＲＳポートは、端末機器が現在使用しているＮ個のＤＭＲＳポートのうちの１つのＤＭＲＳポートである。
【００５１】
選択的に、前記Ｎ個のＤＭＲＳポートにより伝送されるＤＭＲＳシーケンスは同じ物理リソースを占有してもよいが、異なる循環シフトを用いる。
【００５２】
選択的に、異なるＤＭＲＳポートに対応するＤＭＲＳシーケンスの数は同じであっても異なってもよい。
【００５３】
選択的に、ＤＭＲＳシーケンスが占有する物理リソースは、時間領域リソース、周波数領域リソース及び／又は空間領域リソースなどを含んでもよい。
【００５４】
選択的に、本願の実施例において、端末機器は、様々な方式によって第１ＤＭＲＳポートに対応するＤＭＲＳシーケンスの数Ｋと、Ｋ個のＤＭＲＳシーケンス内のそれぞれのＤＭＲＳシーケンスが占有する物理リソースとを確定できる。
【００５５】
１つの実施形態において、前記端末機器は、ネットワーク機器が前記ＤＭＲＳシーケンスに対応するデータ伝送をスケジューリングするダウンリンク制御情報ＤＣＩによって携帯したＤＭＲＳシーケンス指示情報に基づいて、前記第１ＤＭＲＳポートに対応するＤＭＲＳシーケンスの数Ｋを確定することができる。
【００５６】
１つの実施形態において、前記端末機器は、前記第１ＤＭＲＳポートを使用して前記ＤＭＲＳシーケンスを送信することに用いた多元接続方式に基づいて、前記第１ＤＭＲＳポートに対応するＤＭＲＳシーケンスの数Ｋ、及び／又は前記Ｋ個のＤＭＲＳシーケンス内のそれぞれのＤＭＲＳシーケンスが占有する物理リソースを確定する。ここで、異なる多元接続方式に対応するＤＭＲＳリソースパターンは異なってもよい。
【００５７】
具体的には、端末機器は、第１対応関係及び用いる多元接続方式に基づいて、前記第１ＤＭＲＳポートに対応するＤＭＲＳシーケンスの数Ｋを確定してもよく，ここで、前記第１対応関係は、少なくとも１つの多元接続方式におけるそれぞれの多元接続方式において、前記第１ＤＭＲＳポートに対応するＤＭＲＳシーケンスの数を指示するために用いられる。
【００５８】
端末機器は、第２対応関係及び用いる多元接続方式に基づいて、前記Ｋ個のＤＭＲＳシーケンス内のそれぞれのＤＭＲＳシーケンスが占有する物理リソースを確定してもよく、ここで、前記第２対応関係は、少なくとも１つの多元接続方式におけるそれぞれの多元接続方式において、前記第１ＤＭＲＳポートに対応する少なくとも１つのＤＭＲＳシーケンス内でそれぞれのＤＭＲＳシーケンスに対応する物理リソースを指示するために用いられる。
【００５９】
ここで、前記第１対応関係及び／又は第２対応関係は、ネットワーク機器により端末機器に通知されてもよく、端末機器に予め設定されてもよく、端末機器とネットワーク機器とにより事前に合意されてもよい。
【００６０】
なお、端末機器は、多元接続方式に基づいてＫ個のシーケンスが占有する物理リソースを確定せず、用いる多元接続方式に基づいて数Ｋを確定してもよく、ここで、それぞれのシーケンスの物理リソースは、予め設定されたものであってもよく、ネットワーク機器により設定されたものであってもよいことを理解されたい。
【００６１】
又は、端末機器は、ネットワーク機器により送信されたＤＣＩに基づいて数Ｋを確定し、そして用いる多元接続方式に基づいて、Ｋ個のシーケンス内のそれぞれのシーケンスが占有する物理リソースを確定できる。
【００６２】
選択的に、用いた多元接続方式がＣＰ−ＯＦＤＭ多元接続方式である場合、前記Ｋは１である。
【００６３】
具体的には、端末機器がＤＭＲＳシーケンスを送信することに用いた多元接続方式はＣＰ−ＯＦＤＭ多元接続方式である場合、端末機器は１つのＤＭＲＳシーケンスのみを送信してもよい。
【００６４】
ここで、前記１つのＤＭＲＳシーケンスは、離散リソースユニット（Ｒｅｓｏｕｒｃｅ  Ｅｌｅｍｅｎｔ、ＲＥ）を用いてもよく、ＤＭＲＳを伝送するＯＦＤＭシンボル上でＤＭＲＳシーケンスが一部のサブキャリアを占有し、他のサブキャリアはデータを伝送するために用いられることができ、具体的には、図３に示すようである。
【００６５】
もちろん、前記用いた多元接続方式がＣＰ−ＯＦＤＭ多元接続方式である場合、前記Ｋは１より大きくてもよい。
【００６６】
選択的に、前記用いた多元接続方式がＤＦＴ−Ｓ−ＯＦＤＭ多元接続方式である場合、前記Ｋは１より大きい整数である。
【００６７】
選択的に、本願の実施例において、マルチユーザ多重化を行う端末機器が異なる多元接続方式を用いる場合、各端末機器により送信されるＤＭＲＳシーケンスには、他の端末機器の少なくとも１つのＤＭＲＳシーケンスと同じ物理リソース及び／又は同じルートシーケンスを占有する少なくとも１つのＤＭＲＳシーケンスが存在する。
【００６８】
又は、本願の実施例において、端末機器が様々な多元接続方式を選択することができる場合、端末機器が選択した様々な多元接続方式により送信されるＤＭＲＳシーケンスには、他の多元接続方式を選択することにより生成されるＤＭＲＳシーケンス内の少なくとも１つのＤＭＲＳシーケンスと同じ物理リソース及び／又は同じルートシーケンスを占有する少なくとも１つのＤＭＲＳシーケンスが存在する。
【００６９】
選択的に、前記の用いた多元接続方式がＤＦＴ−Ｓ−ＯＦＤＭ多元接続方式である場合、前記Ｋ個のＤＭＲＳシーケンスは第１ＤＭＲＳシーケンスを含み、ここで、前記第１ＤＭＲＳシーケンスは、前記用いた多元接続方式がＣＰ−ＯＦＤＭ多元接続方式である場合に同一のＤＭＲＳポートを使用して伝送する第２ＤＭＲＳシーケンスと同じ物理リソースを占有するか及び／又は同じルートシーケンスを用いる。
【００７０】
具体的には、前記の用いた多元接続方式がＤＦＴ−Ｓ−ＯＦＤＭ多元接続方式である場合、前記Ｋ個のＤＭＲＳシーケンスは第１ＤＭＲＳシーケンスを含み、ここで、前記第１ＤＭＲＳシーケンスは、前記端末機器がＣＰ−ＯＦＤＭ多元接続方式を使用する場合に同一のＤＭＲＳポートを使用して伝送する第２ＤＭＲＳシーケンスと同じ物理リソースを占有するか及び／又は同じルートシーケンスを用いる。
【００７１】
又は、前記の用いた多元接続方式がＤＦＴ−Ｓ−ＯＦＤＭ多元接続方式である場合、前記Ｋ個のＤＭＲＳシーケンスは第１ＤＭＲＳシーケンスを含み、ここで、前記第１ＤＭＲＳシーケンスは、他の端末機器がＣＰ−ＯＦＤＭ多元接続方式を使用する場合に同一のＤＭＲＳポートを使用して伝送する第２ＤＭＲＳシーケンスと同じ物理リソースを占有するか及び／又は同じルートシーケンスを用いる。
【００７２】
選択的に、前記の用いた多元接続方式がＣＰ−ＯＦＤＭ多元接続方式である場合、前記Ｋ個のＤＭＲＳシーケンスは第２ＤＭＲＳシーケンスを含み、ここで、前記第２ＤＭＲＳシーケンスは、前記用いた多元接続方式がＤＦＴ−Ｓ−ＯＦＤＭ多元接続方式である場合に同一のＤＭＲＳポートを使用して伝送する複数のＤＭＲＳシーケンス内の第１ＤＭＲＳシーケンスが占有する物理リソースは同じてあるか及び／又は同じルートシーケンスを用いる。
【００７３】
具体的には、前記の用いた多元接続方式がＣＰ−ＯＦＤＭ多元接続方式である場合、前記Ｋ個のＤＭＲＳシーケンスは第２ＤＭＲＳシーケンスを含み、ここで、前記第２ＤＭＲＳシーケンスは、前記端末機器がＤＦＴ−Ｓ−ＯＦＤＭ多元接続方式を使用する場合に同一のＤＭＲＳポートを使用して伝送する複数のＤＭＲＳシーケンス内の第１ＤＭＲＳシーケンスが占有する物理リソースと同じであるか及び／又は用いるルートシーケンスが同じである。
【００７４】
又は、選択的に、前記の用いた多元接続方式がＣＰ−ＯＦＤＭ多元接続方式である場合、前記Ｋ個のＤＭＲＳシーケンスは第２ＤＭＲＳシーケンスを含み、ここで、前記第２ＤＭＲＳシーケンスは、他の端末機器がＤＦＴ−Ｓ−ＯＦＤＭ多元接続方式を用いる場合に同一のＤＭＲＳポートを使用して伝送する複数のＤＭＲＳシーケンス内の第１ＤＭＲＳシーケンスと占有する物理リソースが同じであるか及び／又は用いるルートシーケンスが同じである。
【００７５】
なお、本願の実施例は、多元接続方式の例として、ＣＰ−ＯＦＤＭ多元接続方式及びＤＦＴ−Ｓ−ＯＦＤＭ多元接続方式を挙げて説明したが、本願の実施例の多元接続方式は他の多元接続方式であってもよいことは理解されたい。本願は、これに対して特に限定しない。
【００７６】
したがって、本願の実施例において、多元接続方式に基づいて１つのＤＭＲＳポートにより送信されるＤＭＲＳシーケンスの数、及び／又はそれぞれのＤＭＲＳシーケンスのリソースを確定することにより、異なる多元接続方式用いる端末機器には、同じ物理リソースを占有するか及び／又は同じルートシーケンスを用いる少なくとも１つのＤＭＲＳシーケンスが存在し、したがって、異なる多元接続方式を用いる端末機器は、異なる循環シフトを使用してＤＭＲＳ直交性を取得でき、それにより柔軟なマルチユーザ多重化伝送を実現する。
【００７７】
選択的に、Ｋの値が１より大きい場合、少なくとも１つのＯＦＤＭシンボルにおいて、前記Ｋ個のＤＭＲＳシーケンス内のそれぞれのＤＭＲＳシーケンスはそれぞれ同じ周波数領域帯域幅内の異なるサブキャリアを占有する。ここで、前記同じ周波数領域帯域幅は、前記ＤＭＲＳシーケンスに対応するデータの伝送帯域幅であってもよい。
【００７８】
１つの実施形態において、前記Ｋ個のＤＭＲＳシーケンスのうち，第ｍ個目のＤＭＲＳシーケンスが占有するサブキャリアは、前記周波数領域帯域幅内で、第（ｍ＋ｉＫ）個目のサブキャリアであり、ここで、
【数３】
2020511038.tif 000005
であり、Ｓは前記周波数領域帯域幅に含まれるサブキャリアの数である。
【００７９】
１つの実施形態において、前記Ｋ＝２であり、且つ前記Ｋ個のＤＭＲＳシーケンスのうち第１個目のＤＭＲＳシーケンスが占有するサブキャリアは、前記周波数領域帯域幅内で第（ｎ＋ｊＮ）個目のサブキャリアであり、第２個目のＤＭＲＳシーケンスは前記周波数領域帯域幅内の他のサブキャリアを占有し、ここで、
【数４】
2020511038.tif 000006
であり、Ｎは１より大きい正整数であり、ｎはＮ以下の正整数である。
【００８０】
ここで、ｎ又はＮの値は、ネットワーク機器によりダウンリンクシグナリングを介して端末機器に通知されてもよく、又はネットワーク機器と端末機器に予め設定された値であってもよい。
【００８１】
例えば、ネットワーク機器は端末機器に値を、前記ＤＭＲＳに対応するデータ伝送をスケジューリングするＤＣＩにより指示するか、又は上位レイヤシグナリングにより端末機器に予め設定する。ｎとＮは、異なる値の取得方式を用いてもよく、例えば、ｎは前記ＤＣＩにより端末機器に指示されてもよく、Ｎは端末機器とネットワーク機器に予め設定された固定値であってもよい。
【００８２】
ここで、前記ｎとＮは、異なるＯＦＤＭシンボル内で異なる値であってもよい。例えば、ＤＭＲＳを伝送する１つのＯＦＤＭシンボルにおいて、ｎ＝１で、Ｎ＝２であり、ＤＭＲＳを伝送する別のＯＦＤＭシンボルにおいて、ｎ＝２で、Ｎ＝２である。又は，４つのＤＭＲＳを伝送するＯＦＤＭシンボルにおいてｎの値はそれぞれｎ＝１、２、３、４で、Ｎ＝４である。
【００８３】
選択的に、前記Ｋ個のＤＭＲＳシーケンス内の少なくとも１つのＤＭＲＳシーケンスにおいて、それぞれのＤＭＲＳシーケンスは異なるＯＦＤＭシンボル内で異なるサブキャリアを占有する。
【００８４】
具体的には、同一のＤＭＲＳサブシーケンスが、異なるＯＦＤＭシンボル内で占有するサブキャリアは固定サブキャリアオフセットを用いてもよく、又は同一のＤＭＲＳサブシーケンスが、異なるＯＦＤＭシンボル内で異なる周波数領域密度を用いてもよい。
【００８５】
選択的に、前記Ｋの値が１より大きい場合、前記Ｋ個のＤＭＲＳシーケンス内で長さが同じのＤＭＲＳシーケンスは同じシーケンスを用いる。
【００８６】
例えば、同じのシーケンス長さと、同じルートシーケンスＩＤにより生成されたＺＣ（Ｚａｄｏｆｆ−Ｃｈｕ）シーケンスであってもよく、これは異なるシーケンスを用いる場合と比較してピーク対平均電力比を効果的に減らすことができる。
【００８７】
選択的に、前記端末機器が第１ＤＭＲＳポートに対応するＤＭＲＳシーケンスの数Ｋを確定し、前記Ｋが１より大きい場合、前記端末機器は前記数Ｋに基づいて、前記Ｋ個のＤＭＲＳシーケンス内の異なるＤＭＲＳシーケンスが占有する物理リソース間のリソースオフセットを確定する。
【００８８】
具体的には、端末機器は、Ｋの値に基づいて、前記リソースオフセットが｛０、１、…、Ｋ−１｝の中の値であることを確定する。前記リソースオフセットは、時間領域リソースオフセットであっても、周波数領域リソースオフセットであってもよい。例えば、異なるサブシーケンスの物理リソース間は、Ｎ個のサブキャリアがオフセットされてもよく、又はＮ個のＯＦＤＭシンボルがオフセットされてもよく、ここで、ｎは０以上Ｋ未満の整数である。
【００８９】
２２０では、確定された前記それぞれのＤＭＲＳシーケンスが占有する物理リソース上で、端末機器が、前記第１ＤＭＲＳポートを使用して、ネットワーク機器に前記それぞれのＤＭＲＳシーケンスを送信する。
【００９０】
２３０では、ネットワーク機器が、端末機器が第１復調基準信号ＤＭＲＳポートを使用して送信するＤＭＲＳシーケンスの数Ｋと、Ｋ個のＤＭＲＳシーケンス内のそれぞれのＤＭＲＳシーケンスが占有する物理リソースとを確定する。
【００９１】
選択的に、前記ネットワーク機器は、前記端末機器が前記第１ＤＭＲＳポートを使用して前記ＤＭＲＳシーケンスを送信することに用いた多元接続方式に基づいて、前記端末機器が前記第１ＤＭＲＳポートを使用して送信するＤＭＲＳシーケンスの数Ｋ、及び／又は前記Ｋ個のＤＭＲＳシーケンス内のそれぞれのＤＭＲＳシーケンスが占有する物理リソースを確定する。
【００９２】
具体的には、ネットワーク機器は、第１対応関係及び前記端末機器が用いる多元接続方式に基づいて、前記端末機器が第１ＤＭＲＳポートを使用して送信するＤＭＲＳシーケンスの数Ｋを確定し、ここで、前記第１対応関係は、少なくとも１つの多元接続方式におけるそれぞれの多元接続方式において、前記第１ＤＭＲＳポートに対応するＤＭＲＳシーケンスの数を指示するために用いられる。
【００９３】
ネットワーク機器は、第２対応関係及び前記端末機器が用いる多元接続方式に基づいて、前記Ｋ個のＤＭＲＳシーケンス内のそれぞれのＤＭＲＳシーケンスが占有する物理リソースを確定し、ここで、前記第２対応関係は、前記少なくとも１つの多元接続方式におけるそれぞれの多元接続方式において、前記第１ＤＭＲＳポートに対応する少なくとも１つのＤＭＲＳシーケンス内で、それぞれのＤＭＲＳシーケンスに対応する物理リソースを指示するために用いられる。
【００９４】
２４０では、確定された前記各ＤＭＲＳシーケンスが占有する物理リソース上で、ネットワーク機器が前記端末機器から送信される前記それぞれのＤＭＲＳシーケンスを受信する。
【００９５】
したがって、本願の実施例において、１つのＤＭＲＳポートに対応するＤＭＲＳシーケンスの数は、唯一でなくてもよく、柔軟に変更することができ、例えば、直交多重を必要とする複数の端末機器が用いる多元接続方式に基づいて設置することができ、それにより異なる多元接続方式を用いる端末機器のマルチユーザ直交多重をサポートできる。そしてさらに、１つのＤＭＲＳポートに対応するＤＭＲＳシーケンスの数及びそれぞれのシーケンスが占有するリソースを柔軟に変更することができるため、異なる多元接続方式を用いる端末機器が少なくとも１つのＤＭＲＳシーケンスに対応するルートシーケンスがあるか及び／又は同じ物理リソースを占有することを実現でき、それにより異なる多元接続方式を用いる端末機器は異なる循環シフトを使用してＤＭＲＳ直交性を取得でき、したがって、さらに多い端末機器のマルチユーザ多重化伝送をサポートすることが実現できる。
【００９６】
本願をより明確に理解するために、以下では、ＤＦＴ−Ｓ−ＯＦＤＭの多元接続方式を例として、図４−９を参照しながら複数のＤＭＲＳシーケンスが占有するリソースについて説明する。
【００９７】
＜実施例１＞
図４と図５に示すように、Ｋ＝２である場合、端末機器１の２つのＤＭＲＳシーケンスはそれぞれ１つの物理リソースブロック（Ｐｈｙｓｉｃａｌ  Ｒｅｓｏｕｒｃｅ  Ｂｌｏｃｋ、ＰＲＢ）内の奇数サブキャリアと偶数サブキャリアを占有する。
【００９８】
ここで、ＤＭＲＳシーケンス２はＤＭＲＳシーケンス１と組み合わせてよりよいチャネル推定性能を取得することができる。
【００９９】
ここで、２つのＤＭＲＳシーケンスのシーケンスは同じであってもよい。
【０１００】
ここで、図４において、１つのＤＭＲＳシーケンスは２つのＯＦＤＭシンボルにおける同じサブキャリアを占有してもよく、図５において、１つのＤＭＲＳシーケンスは２つのＯＦＤＭシンボルにおける異なるサブキャリアを占有し、且つ異なる密度を用いる。
【０１０１】
ここで、ＤＦＴ−Ｓ−ＯＦＤＭ多元接続方式を用いる端末機器１のリソース占有状況が図４に示すとおりである場合、ＣＰ−ＯＦＤＭ多元接続方式を用いる端末機器２は図３に示すようなＤＭＲＳリソースの占有方式を用いてもよく、この時、端末機器１と端末機器２が同じリソース上で多重化されるとき、ＤＭＲＳシーケンス１は端末機器２のＤＭＲＳシーケンスと同じルートシーケンス及び異なる循環シフトを用いて直交性を取得できる。
【０１０２】
ここで、ＤＦＴ−Ｓ−ＯＦＤＭ多元接続方式を用いる端末機器１のリソース占有状況が図５に示すとおりである場合、ＣＰ−ＯＦＤＭ多元接続方式を用いる端末機器２から送信される１つのＤＭＲＳシーケンスのリソース占有方式は、ＤＭＲＳシーケンス１と同じであってもよく、ここで、ＣＰ−ＯＦＤＭ多元接続方式を用いる端末機器２から送信されるＤＭＲＳシーケンスは異なるＯＦＤＭで異なるｃｏｍｂを用いることができ、具体的には、ＯＦＤＭシンボル１上で、ｃｏｍｂ＝２であり、ＯＦＤＭシンボル２上で、ｃｏｍｂ＝４である。
【０１０３】
それにより、端末機器１と端末機器２から送信されるＤＭＲＳシーケンスで同じリソースを占有するシーケンスは、同じルートシーケンス及び異なる循環シフトを用いて直交性を取得することができる。
【０１０４】
＜実施例２＞
図６及び図７に示すように、Ｋ＝４である場合、端末機器３の４つのＤＭＲＳシーケンスはそれぞれ１つのＰＲＢ内の第｛４ｎ＋１、４ｎ＋２、４ｎ＋３、４ｎ＋４｝個目のサブキャリアを占有し、ｎ＝０、１、２である。
【０１０５】
ここで、図６において、１つのＤＭＲＳシーケンスは２つのＯＦＤＭシンボル内の同じサブキャリアを占有し、図７において、１つのＤＭＲＳシーケンスは２つのＯＦＤＭシンボル内の異なるサブキャリアを占有し、且つ固定サブキャリアオフセットを用いる。
【０１０６】
ＣＰ−ＯＦＤＭ波形を用いる端末機器４がＣｏｍｂ＝４であるＤＭＲＳシーケンスを用いる場合、端末機器３及び端末機器４が同じリソース上で多重化するとき、端末機器３の１つのＤＭＲＳシーケンス（例えば、ＤＭＲＳシーケンス１）は、端末機器４のＤＭＲＳシーケンスと同じルートシーケンス及び異なる循環シフトを用いて直交性を取得することができるとともに、ＤＭＲＳサブシーケンス｛２、３、４｝はＤＭＲＳサブシーケンス１とを組み合わせてよりよいチャネル推定性能を取得することができる。
【０１０７】
さらに、ＣＰ−ＯＦＤＭ多元接続方式を用いる端末機器のＤＭＲＳリソースが周波数領域上でオフセットすることをサポートする場合、ＤＦＴ−Ｓ−ＯＦＤＭ多元接続方式を用いる端末機器に対する追加設定を必要とせず、相互間のＤＭＲＳ直交性を保障できる。
【０１０８】
＜実施例３＞
図８及び図９に示すように、Ｋ＝２であり、端末機器５の２つのＤＭＲＳシーケンスにおいて、第１個目のＤＭＲＳシーケンスが１つのＰＲＢ内の第４ｎ＋１個目のサブキャリアを占有し、ｎ＝０、１、２であり、第２個目のＤＭＲＳシーケンスがＰＲＢ内の他のサブキャリアを占有する。
【０１０９】
ここで、図８において、１つのＤＭＲＳシーケンスは２つのＯＦＤＭシンボル内の同じサブキャリアを占有し、図９において、１つのＤＭＲＳシーケンスは、２つのＯＦＤＭシンボル内の異なるサブキャリアを占有し、且つ固定サブキャリアオフセットを用いる。
【０１１０】
ＣＰ−ＯＦＤＭ波形を用いる端末機器４がＣｏｍｂ＝４であるＤＭＲＳシーケンスを用いる場合、端末機器５及び端末機器４が同じリソース上で多重化するとき、ＤＭＲＳシーケンス１は端末機器４のＤＭＲＳシーケンスと同じルートシーケンス及び異なる循環シフトを用いて直交性を取得することができ、またＤＭＲＳシーケンス２はＤＭＲＳシーケンス１と組み合わせてよりよいチャネル推定性能を取得することができる。
【０１１１】
したがって、本願の実施例において、異なる多元接続方式を用いる端末機器がマルチユーザ多重化を行ってＤＭＲＳシーケンスを送信する状況で、各端末機器から送信されるＤＭＲＳシーケンスが占有するリソース及びｃｏｍｂを柔軟に設定することができ、それにより異なる多元接続方式の端末機器が循環シフトの方式により直交性を取得することをサポートすることができ、したがってマルチユーザ多重化を実施する。
【０１１２】
図１０は、本願の実施例に係る端末機器３００の概略ブロック図である。図１０に示すように、端末機器３００は、処理ユニット３１０と送信ユニット３２０とを含む。
【０１１３】
ここで、処理ユニット３１０は、第１復調基準信号ＤＭＲＳポートに対応するＤＭＲＳシーケンスの数Ｋと、Ｋ個のＤＭＲＳシーケンス内のそれぞれのＤＭＲＳシーケンスが占有する物理リソースとを確定するために用いられ、ここで、Ｋは正整数であり、送信ユニット３２０は、前記処理ユニットにより確定された前記それぞれのＤＭＲＳシーケンスが占有する物理リソース上で、前記第１ＤＭＲＳポートを使用して、ネットワーク機器に前記それぞれのＤＭＲＳシーケンスを送信するために用いられる。
【０１１４】
選択的に、前記処理ユニット３１０は、さらに、
前記第１ＤＭＲＳポートを使用して前記ＤＭＲＳシーケンスを送信することに用いた多元接続方式に基づいて、前記第１ＤＭＲＳポートに対応するＤＭＲＳシーケンスの数Ｋ、及び／又は前記Ｋ個のＤＭＲＳシーケンス内のそれぞれのＤＭＲＳシーケンスが占有する物理リソースを確定するために用いられる。
【０１１５】
選択的に、前記処理ユニット３１０は、さらに、
第１対応関係及び前記第１ＤＭＲＳポートを使用して前記ＤＭＲＳシーケンスを送信することに用いた多元接続方式に基づいて、前記第１ＤＭＲＳポートに対応するＤＭＲＳシーケンスの数Ｋを確定するために用いられ、
ここで、前記第１対応関係は、少なくとも１つの多元接続方式におけるそれぞれの多元接続方式において、前記第１ＤＭＲＳポートに対応するＤＭＲＳシーケンスの数を指示するために用いられる。
【０１１６】
選択的に、前記処理ユニット３１０は、さらに、
第２対応関係及び前記第１ＤＭＲＳポートを使用して前記ＤＭＲＳシーケンスを送信することに用いた前記多元接続方式に基づいて、前記Ｋ個のＤＭＲＳシーケンス内のそれぞれのＤＭＲＳシーケンスが占有する物理リソースを確定するために用いられ、
ここで、前記第２対応関係は、前記少なくとも１つの多元接続方式におけるそれぞれの多元接続方式において、前記第１ＤＭＲＳポートに対応する少なくとも１つのＤＭＲＳシーケンス内で各ＤＭＲＳシーケンスに対応する物理リソースを指示するために用いられる。
【０１１７】
選択的に、前記第１ＤＭＲＳポートを使用して前記ＤＭＲＳシーケンスを送信することに用いた多元接続方式が第１多元接続方式である場合、前記Ｋ個のＤＭＲＳシーケンスは第１ＤＭＲＳシーケンスを含み、ここで、前記第１ＤＭＲＳシーケンスは、前記第１多元接続方式と異なる第２多元接続方式を用いる場合に同一のＤＭＲＳポートを使用して伝送するＤＭＲＳシーケンスに含まれている第２ＤＭＲＳシーケンスと同じ物理リソースを占有するか及び／又は同じルートシーケンスを用いる。
【０１１８】
選択的に、前記第１多元接続方式は離散フーリエ変換スプレッド直交周波数分割多重ＤＦＴ−Ｓ−ＯＦＤＭ多元接続方式であり、前記第２多元接続方式はサイクリックプレフィックス直交周波数分割多重ＣＰ−ＯＦＤＭ多元接続方式であり、又は、
前記第１多元接続方式はＣＰ−ＯＦＤＭ多元接続方式であり、前記第２多元接続方式はＤＦＴ−Ｓ−ＯＦＤＭ多元接続方式である。
【０１１９】
選択的に、前記第１ＤＭＲＳポートを使用して前記ＤＭＲＳシーケンスを送信することに用いた多元接続方式がＤＦＴ−Ｓ−ＯＦＤＭ多元接続方式である場合、前記Ｋは１より大きい整数であり、及び／又は、
前記第１ＤＭＲＳポートを使用して前記ＤＭＲＳシーケンスを送信することに用いた多元接続方式がＣＰ−ＯＦＤＭ多元接続方式である場合、前記Ｋは１である。
【０１２０】
選択的に、前記処理ユニット３１０は、さらに、
ネットワーク機器が前記ＤＭＲＳシーケンスに対応するデータ伝送をスケジューリングするダウンリンク制御情報ＤＣＩによって携帯したＤＭＲＳシーケンス指示情報に基づいて、前記第１ＤＭＲＳポートに対応するＤＭＲＳシーケンスの数Ｋを確定するために用いられる。
【０１２１】
選択的に、前記Ｋは１より大きい整数である。
【０１２２】
選択的に、前記Ｋの値が１より大きい場合、前記Ｋ個のＤＭＲＳシーケンス内で長さが同じのＤＭＲＳシーケンスは同じシーケンスを用いる。
【０１２３】
選択的に、前記Ｋの値が１より大きい場合、少なくとも１つのＯＦＤＭシンボルにおいて、前記Ｋ個のＤＭＲＳシーケンス内の各ＤＭＲＳシーケンスはそれぞれ同じ周波数領域帯域幅内の異なるサブキャリアを占有する。
【０１２４】
選択的に、前記Ｋ個のＤＭＲＳシーケンスのうち第ｍ個目のＤＭＲＳシーケンスが占有するサブキャリアは、前記周波数領域帯域幅内の第（ｍ＋ｉＫ）個目のサブキャリアであり、ここで、
【数５】
2020511038.tif 000007
であり、Ｓは前記周波数領域帯域幅に含まれるサブキャリアの数である。
【０１２５】
選択的に、Ｋ＝２であり、且つ前記Ｋ個のＤＭＲＳシーケンスのうち第１個目のＤＭＲＳシーケンスが占有するサブキャリアは前記周波数領域帯域幅内の第（ｎ＋ｊＮ）個目のサブキャリアであり、第２個目のＤＭＲＳシーケンスは前記周波数領域帯域幅内の他のサブキャリアを占有し、ここで、
【数６】
2020511038.tif 000008
であり、Ｎは１より大きい正整数であり、ｎはＮ以下の正整数である。
【０１２６】
選択的に、前記Ｋ個のＤＭＲＳシーケンスのうち少なくとも１つのＤＭＲＳシーケンス内のそれぞれのＤＭＲＳシーケンスは、異なるＯＦＤＭシンボルで異なるサブキャリアを占有する。
【０１２７】
選択的に、前記処理ユニット３１０は、さらに、
第１ＤＭＲＳポートに対応するＤＭＲＳシーケンスの数Ｋを確定するため、
前記Ｋが１より大きい場合、前記数Ｋに基づいて、前記Ｋ個のＤＭＲＳシーケンス内の異なるＤＭＲＳシーケンスが占有する物理リソース間のリソースオフセットを確定するために用いられる。
【０１２８】
なお、前記端末機器３００は、方法２００における端末機器に対応でき、前記方法２００における端末機器の対応する機能を実現できることを理解されたい。ここでは、簡潔のために詳細な説明を省略する。
【０１２９】
図１１は、本願の実施例に係るネットワーク機器４００の概略ブロック図である。図１１に示すように、前記ネットワーク機器は、処理ユニット４１０と送受信ユニット４２０とを含む。
【０１３０】
ここで、処理ユニット４１０は、端末機器が第１復調基準信号ＤＭＲＳポートを使用して送信するＤＭＲＳシーケンスの数Ｋと、Ｋ個のＤＭＲＳシーケンス内のそれぞれのＤＭＲＳシーケンスが占有する物理リソースとを確定するために用いられ、送受信ユニット４２０は、確定された前記それぞれのＤＭＲＳシーケンスが占有する物理リソース上で、前記端末機器から送信される前記それぞれのＤＭＲＳシーケンスを受信するために用いられる。
【０１３１】
選択的に、前記処理ユニット４１０は、さらに、
前記端末機器が前記第１ＤＭＲＳポートを使用して前記ＤＭＲＳシーケンスを送信することに用いた多元接続方式に基づいて、前記端末機器が前記第１ＤＭＲＳポートを使用して送信するＤＭＲＳシーケンスの数Ｋ、及び／又は前記Ｋ個のＤＭＲＳシーケンス内のそれぞれのＤＭＲＳシーケンスが占有する物理リソースを確定するために用いられる。
【０１３２】
選択的に、前記処理ユニット４１０は、さらに、
第１対応関係及び前記端末機器が前記第１ＤＭＲＳポートを使用して前記ＤＭＲＳシーケンスを送信することに用いた多元接続方式に基づいて、前記端末機器が第１ＤＭＲＳポートを使用して送信するＤＭＲＳシーケンスの数Ｋを確定するために用いられ、ここで、
前記第１対応関係は、少なくとも１つの多元接続方式におけるそれぞれの多元接続方式において、前記第１ＤＭＲＳポートに対応するＤＭＲＳシーケンスの数を指示するために用いられる。
【０１３３】
選択的に、前記処理ユニット４１０は、さらに、
第２対応関係及び前記端末機器が前記第１ＤＭＲＳポートを使用して前記ＤＭＲＳシーケンスを送信することに用いた多元接続方式に基づいて、前記Ｋ個のＤＭＲＳシーケンス内のそれぞれのＤＭＲＳシーケンスが占有する物理リソースを確定するために用いられ、ここで、
前記第２対応関係は、前記少なくとも１つの多元接続方式におけるそれぞれの多元接続方式において、前記第１ＤＭＲＳポートに対応する少なくとも１つのＤＭＲＳシーケンス内でそれぞれのＤＭＲＳシーケンスに対応する物理リソースを指示するために用いられる。
【０１３４】
選択的に、前記送受信ユニット４２０は、さらに、
前記ＤＭＲＳシーケンスに対応するデータ伝送をスケジューリングするダウンリンク制御情報ＤＣＩによって携帯されたＤＭＲＳシーケンス指示情報によって、前記端末機器に前記ＤＭＲＳポートに対応するＤＭＲＳシーケンスの数Ｋを指示するために用いられる。
【０１３５】
選択的に、前記端末機器が前記第１ＤＭＲＳポートを使用して前記ＤＭＲＳシーケンスを送信することに用いた多元接続方式がＤＦＴ−Ｓ−ＯＦＤＭ多元接続方式である場合、前記Ｋは１より大きい整数であり、及び／又は、
前記端末機器が前記第１ＤＭＲＳポートを使用して前記ＤＭＲＳシーケンスを送信することに用いた多元接続方式がＣＰ−ＯＦＤＭ多元接続方式である場合、前記Ｋは１である。
【０１３６】
選択的に、前記Ｋは１より大きい整数である。
【０１３７】
選択的に、前記Ｋの値が１より大きい場合、少なくとも１つのＯＦＤＭシンボルにおいて、前記Ｋ個のＤＭＲＳシーケンス内のそれぞれのＤＭＲＳシーケンスはそれぞれ同じ周波数領域帯域幅内の異なるサブキャリアを占有する。
【０１３８】
選択的に、前記Ｋ個のＤＭＲＳシーケンスのうち少なくとも１つのＤＭＲＳシーケンス内のそれぞれのＤＭＲＳシーケンスは、異なるＯＦＤＭシンボルで異なるサブキャリアを占有する。
【０１３９】
なお、前記ネットワーク機器４００は、方法２００におけるネットワーク機器に対応でき、前記方法２００におけるネットワーク機器の対応する機能を実現でき、ここでは、簡潔のために詳細な説明を省略する。
【０１４０】
図１２は、本願の実施例に係る通信機器５００の概略ブロック図である。図１２に示すように、前記通信機器５００は、プロセッサ５１０とメモリ５２０とを含む。ここで、前記メモリ５２０は、プログラムコードに格納でき、前記プロセッサ５１０は、前記メモリ５２０に格納されているプログラムコードを実行できる。
【０１４１】
選択的に、図１２に示すように、前記通信機器５００は送受信器５３０を含んでもよく、送受信器５３０と外部との通信を制御することができる。
【０１４２】
選択的に、前記プロセッサ５１０は、メモリ５２０に格納されているプログラムコードを呼び出して、図２に示す方法２００における端末機器の対応する動作を実行することができ、ここでは、簡潔のために詳細な説明を省略する。
【０１４３】
選択的に、前記プロセッサ５１０は、メモリ５２０に格納されているプログラムコードを呼び出して、図２に示す方法２００におけるネットワーク機器の対応する動作を実行することができ、ここでは、簡潔のために詳細な説明を省略する。
【０１４４】
図１３は、本願の実施例のシステムチップ６００の１つの概略構造図である。図１３のシステムチップ６００は、入力インターフェース６０１と、出力インターフェース６０２とを含み、前記プロセッサ６０３とメモリ６０４との間は通信接続により接続され、前記プロセッサ６０３は前記メモリ６０４内のコードを実行するために用いられる。
【０１４５】
選択的に、前記コードが実行されるとき、前記プロセッサ６０３により、図２に示す方法２００における端末機器が実行する方法が実現される。ここでは、簡潔のために詳細な説明を省略する。
【０１４６】
選択的に、前記コードが実行されるとき、前記プロセッサ６０３により、図２に示す方法２００におけるネットワーク機器が実行する方法が実現される。ここでは、簡潔のために詳細な説明を省略する。
【０１４７】
当業者は、本明細書に開示されている各実施例に記載の様々な例のユニットおよびアルゴリズムステップは、電子ハードウェア、またはコンピュータソフトウェアと電子ハードウェアの組み合わせにより実現され得ることを理解するであろう。これらの機能をハードウェアで実行するかまたはソフトウェアで実行するかは、技術的解決手段の特定の用途及び設計上の制限条件によって異なる。当業者は、各特定の用途に対して異なる方法で記載の機能を実現することができ、このような実施は、本願の範囲内のものと見なすべきである。
【０１４８】
当業者であれば明確に理解することができ、説明の便宜および簡潔さのため、上記のシステム、装置及びユニットの具体的な動作プロセスについては前述の方法の実施例の対応するプロセスを参照すればよく、ここでは詳細な説明を省略する。
【０１４９】
なお、本願に係るいくつかの実施例に開示されているシステム、装置及び方法は、その他の形態で実現されることができる。例えば、上述した装置の実施例は、例示的なものに過ぎず、例えば、前記各ユニットの分割は、論理的な機能分割に過ぎず、実際に実施する際にその他の形態で分割することもでき、例えば、複数のユニットまたは部品を組み合わせてもよく別のシステムに集積してもよく、または一部の特徴を無視するか実行しなくてもよい。また、説明される相互結合、直接結合または通信接続は、一部のインターフェース、装置またはユニットを介して間接的に結合されるものまたは通信接続されるものであってもよく、電気的形態、機械的形態もしくはその他形態であってもよい。
【０１５０】
分離されている部品として説明した前記ユニットは、物理的に分離したものであってもなくてもよい。ユニットとして表示された各部品は、物理的なユニットであってもなくてもよく、すなわち、同一の場所に設けられても、複数のネットワークユニットに配置されてもよい。実際の必要性に応じて、その中の一部のユニットまたは全てのユニットを用いて本実施例の目的を実現することができる。
【０１５１】
本願の各実施例において、各機能ユニットは、１つの処理ユニットに集積されてもよく、物理的に別々の部品として存在してもよく、２つ以上のユニットが１つのユニットに集積されてもよい。
【０１５２】
上記の各機能がソフトウェアの機能ユニットの形態で実施されて、独立した製品として販売または使用される場合、１つのコンピュータ可読記憶媒体に格納できる。このような理解に基づいて、本願の技術的解決手段は、本質上又は既存の技術に貢献がある部分或いは当該技術的解決手段の一部は、ソフトウェア製品の形態で具現化されることができ、当該コンピュータソフトウェア製品は１つの記憶媒体に格納され、コンピュータデバイス（パソコン、サーバ、またはネットワーク機器など）に本願の各実施例に係るすべての方法または一部のスデップを実行させるためのいくつかのコマンドを含む。前記記憶媒体は、ＵＳＢ、モバイルハードディスク、読み取り専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスクもしくはコンパクトディスクなど、プログラムコードを格納できる様々な媒体を含む。
【０１５３】
以上、本願の具体的な実施形態について説明したが、本願の保護範囲はこれらに限定されず、当業者であれば、本願に開示された技術的範囲内で容易に変更や置換することが想到でき、いずれも本願の保護範囲に含まれるべきである。したがって、本願の保護範囲は、特許請求の範囲に記載の保護範囲に準拠するものとする。
【図１】
2020511038.tif 000013
【図２】
2020511038.tif 000014
【図３】
2020511038.tif 000015
【図４】
2020511038.tif 000016
【図５】
2020511038.tif 000017
【図６】
2020511038.tif 000018
【図７】
2020511038.tif 000019
【図８】
2020511038.tif 000020
【図９】
2020511038.tif 000021
【図１０】
2020511038.tif 000022
【図１１】
2020511038.tif 000023
【図１２】
2020511038.tif 000024
【図１３】
2020511038.tif 000025
【手続補正書】
【提出日】令和2年1月22日(2020.1.22)
【手続補正１】
【補正対象書類名】明細書
【補正対象項目名】全文
【補正方法】変更
【補正の内容】
【発明の詳細な説明】
【技術分野】
【０００１】
本願は、通信分野に関し、より具体的には、無線通信方法、端末機器及びネットワーク機器に関する。
【背景技術】
【０００２】
無線通信システムにおいて、復調基準信号（Ｄｅｍｏｄｕｌａｔｉｏｎ  Ｒｅｆｅｒｅｎｃｅ  ｓｉｇｎａｌ、ＤＭＲＳ）シーケンスはチャネルの関連復調に使われることができる。アップリンクでマルチユーザ多重化を行うとき、異なる端末機器間に同じＤＭＲＳシーケンスの異なる循環シフト又は異なる直交符号を用いて直交性を取得することができる。ここで、直交符号を用いて直交性を取得し、多重をサポートする端末機器の数が少ない。
【０００３】
端末機器は、例えば離散フーリエ変換スプレッド直交周波数分割多重（Ｄｉｓｃｒｅｔｅ  Ｆｏｕｒｉｅｒ  ｔｒａｎｓｆｏｒｍ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  ｂａｓｅｄ  Ｓｐｒｅａｄ  Ｓｐｅｃｔｒｕｍ、ＤＦＴ−Ｓ−ＯＦＤＭ）多元接続方式又はサイクリックプレフィックス直交周波数分割多重（Ｃｙｃｌｉｃ  Ｐｒｅｆｉｘ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  、ＣＰ−ＯＦＤＭ）多元接続方式を用いてアップリンク伝送を行うことができ、ここで、ＤＦＴ−Ｓ−ＯＦＤＭ多元接続方式はシングルキャリア周波数分割多元接続（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ、ＳＣ−ＦＤＭＡ）方式とも呼ばれ、ＣＰ−ＯＦＤＭは直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）方式とも呼ばれる。
【発明の概要】
【発明が解決しようとする課題】
【０００４】
いかに異なる多元接続方式を用いてＤＭＲＳシーケンスを伝送する端末機器のマルチユーザ多重化を実施するかは、解決すべき課題である。
【課題を解決するための手段】
【０００５】
本願の実施例は、無線通信方法、端末機器及びネットワーク機器を提供し、異なる多元接続方式を用いてＤＭＲＳシーケンスを伝送する端末機器のマルチユーザ多重化を実施できる。
【０００６】
第１態様では、無線通信方法を提供し、前記方法は、
端末機器が、第１復調基準信号ＤＭＲＳポートに対応するＤＭＲＳシーケンスの数Ｋと、Ｋ個のＤＭＲＳシーケンス内のそれぞれのＤＭＲＳシーケンスが占有する物理リソースとを確定し、ここで、Ｋは正整数であることと、
確定された前記それぞれのＤＭＲＳシーケンスが占有する物理リソース上で、前記第１ＤＭＲＳポートを使用して、ネットワーク機器に前記それぞれのＤＭＲＳシーケンスを送信することとを含む。
【０００７】
第１態様を参照して、第１態様の可能な実施形態において、端末機器が、第１ＤＭＲＳポートに対応するＤＭＲＳシーケンスの数Ｋと、Ｋ個のＤＭＲＳシーケンス内のそれぞれのＤＭＲＳシーケンスが占有する物理リソースとを確定する前記ことは、
前記第１ＤＭＲＳポートを使用して前記ＤＭＲＳシーケンスを送信することに用いた多元接続方式に基づいて、前記端末機器が、前記第１ＤＭＲＳポートに対応するＤＭＲＳシーケンスの数Ｋ、及び／又は前記Ｋ個のＤＭＲＳシーケンス内のそれぞれのＤＭＲＳシーケンスが占有する物理リソースを確定することを含む。
【０００８】
第１態様又は上記のいずれか１つの可能な実施形態を参照して、第１態様の可能な実施形態において、前記第１ＤＭＲＳポートを使用して前記ＤＭＲＳシーケンスを送信することに用いた多元接続方式に基づいて、前記端末機器が、前記第１ＤＭＲＳポートに対応するＤＭＲＳシーケンスの数Ｋを確定する前記ことは、
第１対応関係及び前記第１ＤＭＲＳポートを使用して前記ＤＭＲＳシーケンスを送信することに用いた多元接続方式に基づいて、前記第１ＤＭＲＳポートに対応するＤＭＲＳシーケンスの数Ｋを確定することを含み、
ここで、前記第１対応関係は、少なくとも１つの多元接続方式におけるそれぞれの多元接続方式において、前記第１ＤＭＲＳポートに対応するＤＭＲＳシーケンスの数を指示するために用いられる。
【０００９】
第１態様又は上記のいずれか１つの可能な実施形態を参照して、第１態様の可能な実施形態において、前記第１ＤＭＲＳポートを使用して前記ＤＭＲＳシーケンスを送信することに用いた多元接続方式に基づいて、前記端末機器は、前記Ｋ個のＤＭＲＳシーケンス内のそれぞれのＤＭＲＳシーケンスが占有する物理リソースを確定する前記ことは、
第２対応関係及び前記第１ＤＭＲＳポートを使用して前記ＤＭＲＳシーケンスを送信することに用いた前記多元接続方式に基づいて、前記Ｋ個のＤＭＲＳシーケンス内のそれぞれのＤＭＲＳシーケンスが占有する物理リソースを確定することを含み、
ここで、前記第２対応関係は、少なくとも１つの多元接続方式におけるそれぞれの多元接続方式において、前記第１ＤＭＲＳポートに対応する少なくとも１つのＤＭＲＳシーケンス内でそれぞれのＤＭＲＳシーケンスに対応する物理リソースを指示するために用いられる。
【００１０】
第１態様又は上記のいずれか１つの可能な実施形態を参照して、第１態様の可能な実施形態において、前記第１ＤＭＲＳポートを使用して前記ＤＭＲＳシーケンスを送信することに用いた多元接続方式が第１多元接続方式である場合、前記Ｋ個のＤＭＲＳシーケンスは第１ＤＭＲＳシーケンスを含み、ここで、前記第１ＤＭＲＳシーケンスは、前記第１多元接続方式と異なる第２多元接続方式を用いる場合に同一のＤＭＲＳポートを使用して伝送するＤＭＲＳシーケンスに含まれている第２ＤＭＲＳシーケンスと同じ物理リソースを占有するか及び／又は同じルートシーケンスを用いる。
【００１１】
第１態様又は上記のいずれか１つの可能な実施形態を参照して、第１態様の可能な実施形態において、前記第１多元接続方式は離散フーリエ変換スプレッド直交周波数分割多重ＤＦＴ−Ｓ−ＯＦＤＭ多元接続方式であり、前記第２多元接続方式はサイクリックプレフィックス直交周波数分割多重ＣＰ−ＯＦＤＭ多元接続方式であり、又は、
前記第１多元接続方式はＣＰ−ＯＦＤＭ多元接続方式であり、前記第２多元接続方式はＤＦＴ−Ｓ−ＯＦＤＭ多元接続方式である。
【００１２】
第１態様又は上記のいずれか１つの可能な実施形態を参照して、第１態様の可能な実施形態において、前記第１ＤＭＲＳポートを使用して前記ＤＭＲＳシーケンスを送信することに用いた多元接続方式がＤＦＴ−Ｓ−ＯＦＤＭ多元接続方式である場合、前記Ｋは１より大きい整数であり、及び／又は、
前記第１ＤＭＲＳポートを使用して前記ＤＭＲＳシーケンスを送信することに用いた多元接続方式がＣＰ−ＯＦＤＭ多元接続方式である場合、前記Ｋは１である。
【００１３】
第１態様又は上記のいずれか１つの可能な実施形態を参照して、第１態様の可能な実施形態において、端末機器が、第１復調基準信号ＤＭＲＳポートに対応するＤＭＲＳシーケンスの数Ｋを確定することは、
前記端末機器が、ネットワーク機器が前記ＤＭＲＳシーケンスに対応するデータ伝送をスケジューリングするダウンリンク制御情報ＤＣＩによって携帯したＤＭＲＳシーケンス指示情報に基づいて、前記第１ＤＭＲＳポートに対応するＤＭＲＳシーケンスの数Ｋを確定することを含む。
【００１４】
第１態様又は上記のいずれか１つの可能な実施形態を参照して、第１態様の可能な実施形態において、前記Ｋは１より大きい整数である。
【００１５】
第１態様又は上記のいずれか１つの可能な実施形態を参照して、第１態様の可能な実施形態において、前記Ｋの値が１より大きい場合、前記Ｋ個のＤＭＲＳシーケンス内で長さが同じのＤＭＲＳシーケンスは同じシーケンスを用いる。
【００１６】
第１態様又は上記のいずれか１つの可能な実施形態を参照して、第１態様の可能な実施形態において、前記Ｋの値が１より大きい場合、少なくとも１つの直交周波数分割多重ＯＦＤＭシンボルにおいて、前記Ｋ個のＤＭＲＳシーケンス内のそれぞれのＤＭＲＳシーケンスはそれぞれ同じ周波数領域帯域幅内の異なるサブキャリアを占有する。
【００１７】
第１態様又は上記のいずれか１つの可能な実施形態を参照して、第１態様の可能な実施形態において、前記Ｋ個のＤＭＲＳシーケンスのうち第ｍ個目のＤＭＲＳシーケンスが占有するサブキャリアは、前記周波数領域帯域幅内の第（ｍ＋ｉＫ）個目のサブキャリアであり、ここで、
【数１】
2020511038.tif 000026
であり、Ｓは前記周波数領域帯域幅に含まれるサブキャリアの数である。
【００１８】
第１態様又は上記のいずれか１つの可能な実施形態を参照して、第１態様の可能な実施形態において、前記Ｋ＝２であり、且つ前記Ｋ個のＤＭＲＳシーケンスのうち第１個目のＤＭＲＳシーケンスが占有するサブキャリアは前記周波数領域帯域幅内の第（ｎ＋ｊＮ）個目のサブキャリアであり、第２個目のＤＭＲＳシーケンスは前記周波数領域帯域幅内の他のサブキャリアを占有し、ここで、
【数２】
2020511038.tif 000027
であり、Ｎは１より大きい正整数であり、ｎはＮ以下の正整数である。
【００１９】
第１態様又は上記のいずれか１つの可能な実施形態を参照して、第１態様の可能な実施形態において、前記Ｋ個のＤＭＲＳシーケンスのうち少なくとも１つのＤＭＲＳシーケンス内のそれぞれのＤＭＲＳシーケンスは、異なるＯＦＤＭシンボルで異なるサブキャリアを占有する。
【００２０】
第１態様又は上記のいずれか１つの可能な実施形態を参照して、第１態様の可能な実施形態において、端末機器が、第１ＤＭＲＳポートに対応するＤＭＲＳシーケンスの数Ｋと、Ｋ個のＤＭＲＳシーケンス内のそれぞれのＤＭＲＳシーケンスが占有する物理リソースとを確定する前記ことは、
前記端末機器が、第１ＤＭＲＳポートに対応するＤＭＲＳシーケンスの数Ｋを確定することと、
前記Ｋが１より大きい場合、前記端末機器が前記数Ｋに基づいて、前記Ｋ個のＤＭＲＳシーケンス内で異なるＤＭＲＳシーケンスが占有する物理リソース間のリソースオフセットを確定することとを含む。
【００２１】
第２態様では、無線通信方法を提供し、前記方法は、
ネットワーク機器が、端末機器が第１復調基準信号ＤＭＲＳポートを使用して送信するＤＭＲＳシーケンスの数Ｋと、Ｋ個のＤＭＲＳシーケンス内のそれぞれのＤＭＲＳシーケンスが占有する物理リソースとを確定することと、
確定された前記それぞれのＤＭＲＳシーケンスが占有する物理リソース上で、前記端末機器から送信される前記それぞれのＤＭＲＳシーケンスを受信することとを含む。
【００２２】
第２態様を参照して、第２態様の可能な実施形態において、ネットワーク機器が、端末機器が第１復調基準信号ＤＭＲＳポートを使用して送信するＤＭＲＳシーケンスの数Ｋと、Ｋ個のＤＭＲＳシーケンス内のそれぞれのＤＭＲＳシーケンスが占有する物理リソースとを確定する前記ことは、
前記ネットワーク機器が、前記端末機器が前記第１ＤＭＲＳポートを使用して前記ＤＭＲＳシーケンスを送信することに用いた多元接続方式に基づいて、前記端末機器が前記第１ＤＭＲＳポートを使用して送信するＤＭＲＳシーケンスの数Ｋ、及び／又は前記Ｋ個のＤＭＲＳシーケンス内のそれぞれのＤＭＲＳシーケンスが占有する物理リソースを確定することを含む。
【００２３】
第２態様又は上記のいずれか１つの可能な実施形態を参照して、第２態様の可能な実施形態において、前記ネットワーク機器が、前記端末機器が前記第１ＤＭＲＳポートを使用して前記ＤＭＲＳシーケンスを送信することに用いた多元接続方式に基づいて、前記端末機器が前記第１ＤＭＲＳポートを使用して送信するＤＭＲＳシーケンスの数Ｋを確定する前記ことは、
第１対応関係及び前記端末機器が前記第１ＤＭＲＳポートを使用して前記ＤＭＲＳシーケンスを送信することに用いた多元接続方式に基づいて、前記端末機器が第１ＤＭＲＳポートを使用して送信するＤＭＲＳシーケンスの数Ｋを確定することを含み、ここで、
前記第１対応関係は、少なくとも１つの多元接続方式におけるそれぞれの多元接続方式において、前記第１ＤＭＲＳポートに対応するＤＭＲＳシーケンスの数を指示するために用いられる。
【００２４】
第２態様又は上記のいずれか１つの可能な実施形態を参照して、第２態様の可能な実施形態において、前記ネットワーク機器が、前記端末機器が前記第１ＤＭＲＳポートを使用して前記ＤＭＲＳシーケンスを送信することに用いた多元接続方式に基づいて、前記Ｋ個のＤＭＲＳシーケンス内のそれぞれのＤＭＲＳシーケンスが占有する物理リソースを確定する前記ことは、
第２対応関係及び前記端末機器が前記第１ＤＭＲＳポートを使用して前記ＤＭＲＳシーケンスを送信することに用いた多元接続方式に基づいて、前記Ｋ個のＤＭＲＳシーケンス内のそれぞれのＤＭＲＳシーケンスが占有する物理リソースを確定することを含み、ここで、
前記第２対応関係は、少なくとも１つの多元接続方式におけるそれぞれの多元接続方式において、前記第１ＤＭＲＳポートに対応する少なくとも１つのＤＭＲＳシーケンス内でそれぞれのＤＭＲＳシーケンスに対応する物理リソースを指示するために用いられる。
【００２５】
第２態様又は上記のいずれか１つの可能な実施形態を参照して、第２態様の可能な実施形態において、前記方法は、さらに、
前記ネットワーク機器が、前記ＤＭＲＳシーケンスに対応するデータ伝送をスケジューリングするダウンリンク制御情報ＤＣＩ携帯したＤＭＲＳシーケンス指示情報により、前記端末機器に前記第１ＤＭＲＳポートに対応するＤＭＲＳシーケンスの数Ｋを指示することを含む。
【００２６】
第２態様又は上記のいずれか１つの可能な実施形態を参照して、第２態様の可能な実施形態において、前記端末機器が前記第１ＤＭＲＳポートを使用して前記ＤＭＲＳシーケンスを送信することに用いた多元接続方式がＤＦＴ−Ｓ−ＯＦＤＭ多元接続方式である場合、前記Ｋは１より大きい整数であり、及び／又は、
前記端末機器が前記第１ＤＭＲＳポートを使用して前記ＤＭＲＳシーケンスを送信することに用いた多元接続方式がＣＰ−ＯＦＤＭ多元接続方式である場合、前記Ｋは１である。
【００２７】
第２態様又は上記のいずれか１つの可能な実施形態を参照して、第２態様の可能な実施形態において、前記Ｋは１より大きい整数である。
【００２８】
第２態様又は上記のいずれか１つの可能な実施形態を参照して、第２態様の可能な実施形態において、前記Ｋの値が１より大きい場合、少なくとも１つのＯＦＤＭシンボルにおいて、前記Ｋ個のＤＭＲＳシーケンス内のそれぞれのＤＭＲＳシーケンスはそれぞれ同じ周波数領域帯域幅内の異なるサブキャリアを占有する。
【００２９】
第２態様又は上記のいずれか１つの可能な実施形態を参照して、第２態様の可能な実施形態において、前記Ｋ個のＤＭＲＳシーケンスのうち少なくとも１つのＤＭＲＳシーケンス内のそれぞれのＤＭＲＳシーケンスは、異なるＯＦＤＭシンボルで異なるサブキャリアを占有する。
【００３０】
第３態様では、端末機器を提供し、前記端末機器は、上記第１態様又はそのいずれか１つの可能な実施形態における方法を実現するためのユニットを含んでもよい。
【００３１】
第４態様では、ネットワーク機器を提供し、前記ネットワーク機器は、上記第２態様又はそのいずれか１つの可能な実施形態における方法を実現するためのユニットを含んでもよい。
【００３２】
第５態様では、端末機器を提供し、前記端末機器は、コマンドが格納されているメモリとプロセッサを含んでもよく、前記プロセッサは、メモリに格納されているコマンドを呼び出して第１態様又はそのいずれか１つの選択可能な実施形態における方法を実現するために用いられる。
【００３３】
第６態様において、ネットワーク機器を提供し、前記ネットワーク機器は、コマンドが格納されたメモリとプロセッサを含んでもよく、前記プロセッサは、メモリに格納されているコマンドを呼び出して第２態様又はその任意の選択可能な実施形態における方法を実現するために用いられる。
【００３４】
第７態様では、コンピュータ可読媒体を提供し、前記コンピュータ可読媒体には、端末機器によって実行されるためのプログラムコードが格納され、前記プログラムコードは、第１態様又はその各種実施形態における方法を実行するためのコマンドを含み、又は第２態様又はその各種実施形態における方法を実行するためのコマンドコマンドを含む。
【００３５】
第８態様では、システムチップを提供し、前記システムチップは、入力インターフェースと、出力インターフェースと、メモリと、前記メモリ内のコードを実行するためのプロセッサとを含み、前記コードが実行されるとき、前記プロセッサにより前記第１態様及び各種実施形態における方法を実現することができ、又は前記第２態様及び各種実施形態における方法を実現することができる。
【発明の効果】
【００３６】
したがって、本願の実施例において、１つのＤＭＲＳポートに対応するＤＭＲＳシーケンスの数は唯一ではなく、柔軟に変更することができ、例えば、直交多重を必要とする複数の端末機器が用いられる多元接続方式に基づいて設置することができ、それにより多元接続方式を用いる端末機器のマルチユーザ直交多重をサポートできる。そしてさらに、１つのＤＭＲＳポートに対応するＤＭＲＳシーケンスの数及びそれぞれのシーケンスが占有するリソースを柔軟に変更することができるため、異なる多元接続方式を用いる端末機器が少なくとも１つのＤＭＲＳシーケンスに対応するルートシーケンスがあるか及び／又は同じ物理リソースを占有することを実施でき、それにより異なる多元接続方式を用いる端末機器は異なる循環シフトを使用してＤＭＲＳ直交性を取得でき、したがって、さらに多い端末機器のマルチユーザ多重化伝送をサポートすることが実現できる。
【図面の簡単な説明】
【００３７】
本願の実施例の技術的解決手段をより明確に説明するために、以下、実施例又は先行技術の説明に必要な添付図面について簡単に説明するが、以下の説明における添付図面は、本願の一部の実施例にすぎず、当業者であれば、創造的な働きなしにこれらの添付図面に基づいて他の添付図面を取得することができることは明らかである。
【図１】本願の実施例に係る無線通信システムの概略図である。
【図２】本願の実施例に係る無線通信方法の概略フローチャートである。
【図３】本願の実施例に係るＤＭＲＳシーケンスのリソース占有の概略図である。
【図４】本願の実施例に係るＤＭＲＳシーケンスのリソース占有の概略図である。
【図５】本願の実施例に係るＤＭＲＳシーケンスのリソース占有の概略図である。
【図６】本願の実施例に係るＤＭＲＳシーケンスのリソース占有の概略図である。
【図７】本願の実施例に係るＤＭＲＳシーケンスのリソース占有の概略図である。
【図８】本願の実施例に係るＤＭＲＳシーケンスのリソース占有の概略図である。
【図９】本願の実施例に係るＤＭＲＳシーケンスのリソース占有の概略図である。
【図１０】本願の実施例に係る端末機器の概略ブロック図である。
【図１１】本願の実施例に係るネットワーク機器の概略ブロック図である。
【図１２】本願の実施例に係る通信機器の概略ブロック図である。
【図１３】本願の実施例に係るシステムチップの概略ブロック図である。
【発明を実施するための形態】
【００３８】
以下、本願の実施例における添付図面を参照しながら、本願の実施例における技術的解決手段について説明を行うが、説明された実施例は本願の一部にすぎず、全部の実施例ではない。本願の実施例に基づいて、当業者の創造的な働きなしに得られたすべての他の実施例は、いずれも本願の保護範囲に属すことは明らかである。
【００３９】
本願の実施例の技術的解決手段は様々な通信システム、例えば、汎欧州デジタル移動電話方式（Ｇｌｏｂａｌ  Ｓｙｓｔｅｍ  ｏｆ  Ｍｏｂｉｌｅ  ｃｏｍｍｕｎｉｃａｔｉｏｎ、略称「ＧＳＭ」）、符号分割多元接続（Ｃｏｄｅ  Ｄｉｖｉｓｉｏｎ  Ｍｕｌｔｉｐｌｅ  Ａｃｃｅｓｓ、略称「ＣＤＭＡ」）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称「ＷＣＤＭＡ」）システム、汎用パケット無線カバレッジ（Ｇｅｎｅｒａｌ  Ｐａｃｋｅｔ  Ｒａｄｉｏ  Ｓｅｒｖｉｃｅ、略称「ＧＰＲＳ」）、ロングタームエボリューション（Ｌｏｎｇ  Ｔｅｒｍ  Ｅｖｏｌｕｔｉｏｎ、略称「ＬＴＥ」）システム、ＬＴＥ周波数分割複信（Ｆｒｅｑｕｅｎｃｙ  Ｄｉｖｉｓｉｏｎ  Ｄｕｐｌｅｘ、略称「ＦＤＤ」）システム、ＬＴＥ時分割複信（Ｔｉｍｅ  Ｄｉｖｉｓｉｏｎ  Ｄｕｐｌｅｘ、略称「ＴＤＤ」）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略称「ＵＭＴＳ」）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、略称「ＷｉＭＡＸ」）通信システム又は次世代の５Ｇシステムなどに適用されることができる。
【００４０】
図１は、本願の実施例に適用される無線通信システム１００を示す。当該無線通信システム１００は、ネットワーク機器１１０を含んでもよい。ネットワーク機器１１０は、端末機器と通信する機器であってもよい。ネットワーク機器１１０は、特定の地理的地域に通信カバレッジを提供し、当該カバレッジエリア内に位置する端末機器（例えばＵＥ）と通信することができる。１つの実施例において、当該ネットワーク機器１１０は、ＧＳＭシステム又はＣＤＭＡシステムにおける基地局（Ｂａｓｅ  Ｔｒａｎｓｃｅｉｖｅｒ  Ｓｔａｔｉｏｎ、略称ＢＴＳ）であってもよく、ＷＣＤＭＡシステムにおける基地局（ＮｏｄｅＢ、略称ＮＢ）であってもよく、ＬＴＥシステムにおける進化型基地局（Ｅｖｏｌｖｅｄ  Ｎｏｄｅ  Ｂ、略称ｅＮＢ又はｅＮｏｄｅＢ）であってもよく、クラウド無線アクセスネットワーク（Ｃｌｏｕｄ  Ｒａｄｉｏ  Ａｃｃｅｓｓ  Ｎｅｔｗｏｒｋ、略称ＣＲＡＮ）における無線コントローラであってもよく、又は当該ネットワーク機器は、中継局、アクセスポイント、車載機器、ウェアラブル機器、次世代の５Ｇネットワークにおけるネットワーク側機器もしくは次世代の進化型地上波公共移動通信ネットワーク（Ｐｕｂｌｉｃ  Ｌａｎｄ  Ｍｏｂｉｌｅ  Ｎｅｔｗｏｒｋ、略称ＰＬＭＮ）におけるネットワーク機器などであってもよい。
【００４１】
当該無線通信システム１００は、さらに、ネットワーク機器１１０のサービス範囲内に位置する少なくとも１つの端末機器１２０を含む。端末機器１２０は、移動型でも固定型でもよい。１つの実施例において、端末機器１２０は、アクセス端末、ユーザ機器（Ｕｓｅｒ  Ｅｑｕｉｐｍｅｎｔ、略称ＵＥ）、ユーザユニット、加入者局、移動局、モバイルステーション、遠隔局、遠隔端末、移動機器、ユーザ端末、端末、無線通信機器、ユーザ代理機器又はユーザ装置であってもよい。アクセス端末は、携帯電話、無線電話、セッションイニシエーションプロトコル（Ｓｅｓｓｉｏｎ  Ｉｎｉｔｉａｔｉｏｎ  Ｐｒｏｔｏｃｏｌ、略称ＳＩＰ）電話、無線ローカルループ（Ｗｉｒｅｌｅｓｓ  Ｌｏｃａｌ  Ｌｏｏｐ、略称ＷＬＬ）局、携帯情報端末（Ｐｅｒｓｏｎａｌ  Ｄｉｇｉｔａｌ  Ａｓｓｉｓｔａｎｔ、略称ＰＤＡ）、無線通信機能を有するハンドヘルド機器、計算機器又は無線モデムに接続されたその他処理機器、車載機器、ウェアラブル機器、次世代の５Ｇネットワークにおける端末機器又は次世代の進化型ＰＬＭＮにおける端末機器などであってもよい。
【００４２】
選択的に、５Ｇシステム又はネットワークは、新しい無線（Ｎｅｗ  Ｒａｄｉｏ、ＮＲ）システム又はネットワークとも呼ばれる。
【００４３】
図１は、１つのネットワーク機器及び２つの端末機器を例示的に示し、１つの実施例において、当該無線通信システム１００は、複数のネットワーク機器を含んでもよく、かつ各ネットワーク機器のカバレッジ範囲内に異なる数量の端末機器を含むことができ、本願の実施例ではこれについて限定しない。
【００４４】
１つの実施例において、当該無線通信システム１００は、さらに、ネットワークコントローラ、移動管理エンティティなどの他のネットワークエンティティを含むことができ、本願の実施例ではこれについて限定しない。
【００４５】
なを、本明細書において、用語「システム」及び「ネットワーク」はよく交換的に使用されることを理解されたい。本明細書において、用語「及び／又は」は、関連対象の関連関係を説明するものであって、３つの関係があり得ることを表し、例えば、Ａ及び／又はＢは、Ａのみある場合、ＡとＢ両方ともある場合、Ｂのみある場合など３つの場合を表す。また、本明細書において、符号「／」は、一般的にコンテキストオブジェクトが「又は」という関係であることを示す。
【００４６】
図２は、本願の実施例に係る無線通信方法２００の概略フローチャートである。ここで、当該方法２００は、１つの実施例において上記の無線通信システム１００に使用されることができる。
【００４７】
図２に示すように、当該方法２００は以下を含む。
【００４８】
２１０では、端末機器は、第１ＤＭＲＳポートに対応するＤＭＲＳシーケンスの数Ｋと、Ｋ個のＤＭＲＳシーケンス内のそれぞれのＤＭＲＳシーケンスが占有する物理リソースとを確定し、ここで、Ｋは正整数である。
【００４９】
ここで、Ｋは、１であってもよく、又は２、３、４若しくは６などのように１より大きくてもよい。
【００５０】
ここで、前記第１ＤＭＲＳポートは、端末機器が現在使用しているＮ個のＤＭＲＳポートのうちの少なくとも１つのＤＭＲＳポートを含む。前記第１ＤＭＲＳポートが端末機器が現在使用しているすべてのＮ個のＤＭＲＳポートを含む場合、Ｋは端末機器が現在使用しているすべてのＮ個のＤＭＲＳポートに対するＤＭＲＳシーケンスの和である。
【００５１】
１つの実施例において、前記Ｎ個のＤＭＲＳポートにより伝送されるＤＭＲＳシーケンスは同じ物理リソースを占有してもよいが、異なる循環シフトを用いる。
【００５２】
１つの実施例において、異なるＤＭＲＳポートに対応するＤＭＲＳシーケンスの数は同じであっても異なってもよい。
【００５３】
１つの実施例において、ＤＭＲＳシーケンスが占有する物理リソースは、時間領域リソース、周波数領域リソース及び／又は空間領域リソースなどを含んでもよい。
【００５４】
本願の実施例において、端末機器は、様々な方式によって第１ＤＭＲＳポートに対応するＤＭＲＳシーケンスの数Ｋと、Ｋ個のＤＭＲＳシーケンス内のそれぞれのＤＭＲＳシーケンスが占有する物理リソースとを確定できる。
【００５５】
１つの実施形態において、前記端末機器は、ネットワーク機器が前記ＤＭＲＳシーケンスに対応するデータ伝送をスケジューリングするダウンリンク制御情報ＤＣＩによって携帯したＤＭＲＳシーケンス指示情報に基づいて、前記第１ＤＭＲＳポートに対応するＤＭＲＳシーケンスの数Ｋを確定することができる。
【００５６】
１つの実施形態において、前記端末機器は、前記第１ＤＭＲＳポートを使用して前記ＤＭＲＳシーケンスを送信することに用いた多元接続方式に基づいて、前記第１ＤＭＲＳポートに対応するＤＭＲＳシーケンスの数Ｋ、及び／又は前記Ｋ個のＤＭＲＳシーケンス内のそれぞれのＤＭＲＳシーケンスが占有する物理リソースを確定する。ここで、異なる多元接続方式に対応するＤＭＲＳリソースパターンは異なってもよい。
【００５７】
具体的には、端末機器は、第１対応関係及び用いる多元接続方式に基づいて、前記第１ＤＭＲＳポートに対応するＤＭＲＳシーケンスの数Ｋを確定してもよく，ここで、前記第１対応関係は、少なくとも１つの多元接続方式におけるそれぞれの多元接続方式において、前記第１ＤＭＲＳポートに対応するＤＭＲＳシーケンスの数を指示するために用いられる。
【００５８】
端末機器は、第２対応関係及び用いる多元接続方式に基づいて、前記Ｋ個のＤＭＲＳシーケンス内のそれぞれのＤＭＲＳシーケンスが占有する物理リソースを確定してもよく、ここで、前記第２対応関係は、少なくとも１つの多元接続方式におけるそれぞれの多元接続方式において、前記第１ＤＭＲＳポートに対応する少なくとも１つのＤＭＲＳシーケンス内でそれぞれのＤＭＲＳシーケンスに対応する物理リソースを指示するために用いられる。
【００５９】
ここで、前記第１対応関係及び／又は第２対応関係は、ネットワーク機器により端末機器に通知されてもよく、端末機器に予め設定されてもよく、端末機器とネットワーク機器とにより事前に合意されてもよい。
【００６０】
なお、端末機器は、多元接続方式に基づいてＫ個のシーケンスが占有する物理リソースを確定せず、用いる多元接続方式に基づいて数Ｋを確定してもよく、ここで、それぞれのシーケンスの物理リソースは、予め設定されたものであってもよく、ネットワーク機器により設定されたものであってもよいことを理解されたい。
【００６１】
又は、端末機器は、ネットワーク機器により送信されたＤＣＩに基づいて数Ｋを確定し、そして用いる多元接続方式に基づいて、Ｋ個のＤＭＲＳシーケンス内のそれぞれのシーケンスが占有する物理リソースを確定できる。
【００６２】
１つの実施例において、用いた多元接続方式がＣＰ−ＯＦＤＭ多元接続方式である場合、前記Ｋは１である。
【００６３】
具体的には、端末機器がＤＭＲＳシーケンスを送信することに用いた多元接続方式はＣＰ−ＯＦＤＭ多元接続方式である場合、端末機器は１つのＤＭＲＳシーケンスのみを送信してもよい。
【００６４】
ここで、前記１つのＤＭＲＳシーケンスは、離散リソースユニット（Ｒｅｓｏｕｒｃｅ  Ｅｌｅｍｅｎｔ、ＲＥ）を用いてもよく、ＤＭＲＳを伝送するＯＦＤＭシンボル上でＤＭＲＳシーケンスが一部のサブキャリアを占有し、他のサブキャリアはデータを伝送するために用いられることができ、具体的には、図３に示すようである。
【００６５】
もちろん、前記用いた多元接続方式がＣＰ−ＯＦＤＭ多元接続方式である場合、前記Ｋは１より大きくてもよい。
【００６６】
１つの実施例において、前記用いた多元接続方式がＤＦＴ−Ｓ−ＯＦＤＭ多元接続方式である場合、前記Ｋは１より大きい整数である。
【００６７】
本願の実施例において、マルチユーザ多重化を行う端末機器が異なる多元接続方式を用いる場合、各端末機器により送信されるＤＭＲＳシーケンスには、他の端末機器の少なくとも１つのＤＭＲＳシーケンスと同じ物理リソース及び／又は同じルートシーケンスを占有する少なくとも１つのＤＭＲＳシーケンスが存在する。
【００６８】
又は、本願の実施例において、端末機器が様々な多元接続方式を選択することができる場合、端末機器が選択した様々な多元接続方式により送信されるＤＭＲＳシーケンスには、他の多元接続方式を選択することにより生成されるＤＭＲＳシーケンス内の少なくとも１つのＤＭＲＳシーケンスと同じ物理リソース及び／又は同じルートシーケンスを占有する少なくとも１つのＤＭＲＳシーケンスが存在する。
【００６９】
１つの実施例において、前記の用いた多元接続方式がＤＦＴ−Ｓ−ＯＦＤＭ多元接続方式である場合、前記Ｋ個のＤＭＲＳシーケンスは第１ＤＭＲＳシーケンスを含み、ここで、前記第１ＤＭＲＳシーケンスは、前記用いた多元接続方式がＣＰ−ＯＦＤＭ多元接続方式である場合に同一のＤＭＲＳポートを使用して伝送する第２ＤＭＲＳシーケンスと同じ物理リソースを占有するか及び／又は同じルートシーケンスを用いる。
【００７０】
具体的には、前記の用いた多元接続方式がＤＦＴ−Ｓ−ＯＦＤＭ多元接続方式である場合、前記Ｋ個のＤＭＲＳシーケンスは第１ＤＭＲＳシーケンスを含み、ここで、前記第１ＤＭＲＳシーケンスは、前記端末機器がＣＰ−ＯＦＤＭ多元接続方式を使用する場合に同一のＤＭＲＳポートを使用して伝送する第２ＤＭＲＳシーケンスと同じ物理リソースを占有するか及び／又は同じルートシーケンスを用いる。
【００７１】
又は、前記の用いた多元接続方式がＤＦＴ−Ｓ−ＯＦＤＭ多元接続方式である場合、前記Ｋ個のＤＭＲＳシーケンスは第１ＤＭＲＳシーケンスを含み、ここで、前記第１ＤＭＲＳシーケンスは、他の端末機器がＣＰ−ＯＦＤＭ多元接続方式を使用する場合に同一のＤＭＲＳポートを使用して伝送する第２ＤＭＲＳシーケンスと同じ物理リソースを占有するか及び／又は同じルートシーケンスを用いる。
【００７２】
１つの実施例において、前記の用いた多元接続方式がＣＰ−ＯＦＤＭ多元接続方式である場合、前記Ｋ個のＤＭＲＳシーケンスは第２ＤＭＲＳシーケンスを含み、ここで、前記第２ＤＭＲＳシーケンスは、前記用いた多元接続方式がＤＦＴ−Ｓ−ＯＦＤＭ多元接続方式である場合に同一のＤＭＲＳポートを使用して伝送する複数のＤＭＲＳシーケンス内の第１ＤＭＲＳシーケンスが占有する物理リソースは同じてあるか及び／又は同じルートシーケンスを用いる。
【００７３】
具体的には、前記の用いた多元接続方式がＣＰ−ＯＦＤＭ多元接続方式である場合、前記Ｋ個のＤＭＲＳシーケンスは第２ＤＭＲＳシーケンスを含み、ここで、前記第２ＤＭＲＳシーケンスは、前記端末機器がＤＦＴ−Ｓ−ＯＦＤＭ多元接続方式を使用する場合に同一のＤＭＲＳポートを使用して伝送する複数のＤＭＲＳシーケンス内の第１ＤＭＲＳシーケンスが占有する物理リソースと同じであるか及び／又は用いるルートシーケンスが同じである。
【００７４】
又は、１つの実施例において、前記の用いた多元接続方式がＣＰ−ＯＦＤＭ多元接続方式である場合、前記Ｋ個のＤＭＲＳシーケンスは第２ＤＭＲＳシーケンスを含み、ここで、前記第２ＤＭＲＳシーケンスは、他の端末機器がＤＦＴ−Ｓ−ＯＦＤＭ多元接続方式を用いる場合に同一のＤＭＲＳポートを使用して伝送する複数のＤＭＲＳシーケンス内の第１ＤＭＲＳシーケンスと占有する物理リソースが同じであるか及び／又は用いるルートシーケンスが同じである。
【００７５】
なお、本願の実施例は、多元接続方式の例として、ＣＰ−ＯＦＤＭ多元接続方式及びＤＦＴ−Ｓ−ＯＦＤＭ多元接続方式を挙げて説明したが、本願の実施例の多元接続方式は他の多元接続方式であってもよいことは理解されたい。本願は、これに対して特に限定しない。
【００７６】
したがって、本願の実施例において、多元接続方式に基づいて１つのＤＭＲＳポートにより送信されるＤＭＲＳシーケンスの数、及び／又はそれぞれのＤＭＲＳシーケンスのリソースを確定することにより、異なる多元接続方式用いる端末機器には、同じ物理リソースを占有するか及び／又は同じルートシーケンスを用いる少なくとも１つのＤＭＲＳシーケンスが存在し、したがって、異なる多元接続方式を用いる端末機器は、異なる循環シフトを使用してＤＭＲＳ直交性を取得でき、それにより柔軟なマルチユーザ多重化伝送を実現する。
【００７７】
１つの実施例において、Ｋの値が１より大きい場合、少なくとも１つのＯＦＤＭシンボルにおいて、前記Ｋ個のＤＭＲＳシーケンス内のそれぞれのＤＭＲＳシーケンスはそれぞれ同じ周波数領域帯域幅内の異なるサブキャリアを占有する。ここで、前記同じ周波数領域帯域幅は、前記ＤＭＲＳシーケンスに対応するデータの伝送帯域幅であってもよい。
【００７８】
１つの実施形態において、前記Ｋ個のＤＭＲＳシーケンスのうち，第ｍ個目のＤＭＲＳシーケンスが占有するサブキャリアは、前記周波数領域帯域幅内で、第（ｍ＋ｉＫ）個目のサブキャリアであり、ここで、
【数３】
2020511038.tif 000028
であり、Ｓは前記周波数領域帯域幅に含まれるサブキャリアの数である。
【００７９】
１つの実施形態において、前記Ｋ＝２であり、且つ前記Ｋ個のＤＭＲＳシーケンスのうち第１個目のＤＭＲＳシーケンスが占有するサブキャリアは、前記周波数領域帯域幅内で第（ｎ＋ｊＮ）個目のサブキャリアであり、第２個目のＤＭＲＳシーケンスは前記周波数領域帯域幅内の他のサブキャリアを占有し、ここで、
【数４】
2020511038.tif 000029
であり、Ｎは１より大きい正整数であり、ｎはＮ以下の正整数である。
【００８０】
ここで、ｎ又はＮの値は、ネットワーク機器によりダウンリンクシグナリングを介して端末機器に通知されてもよく、又はネットワーク機器と端末機器に予め設定された値であってもよい。
【００８１】
例えば、ネットワーク機器は端末機器に値を、前記ＤＭＲＳシーケンスに対応するデータ伝送をスケジューリングするＤＣＩにより指示するか、又は上位レイヤシグナリングにより端末機器に予め設定する。ｎとＮは、異なる値の取得方式を用いてもよく、例えば、ｎは前記ＤＣＩにより端末機器に指示されてもよく、Ｎは端末機器とネットワーク機器に予め設定された固定値であってもよい。
【００８２】
ここで、前記ｎとＮは、異なるＯＦＤＭシンボル内で異なる値であってもよい。例えば、ＤＭＲＳを伝送する１つのＯＦＤＭシンボルにおいて、ｎ＝１で、Ｎ＝２であり、ＤＭＲＳを伝送する別のＯＦＤＭシンボルにおいて、ｎ＝２で、Ｎ＝２である。又は，４つのＤＭＲＳを伝送するＯＦＤＭシンボルにおいてｎの値はそれぞれｎ＝１、２、３、４で、Ｎ＝４である。
【００８３】
１つの実施例において、前記Ｋ個のＤＭＲＳシーケンス内の少なくとも１つのＤＭＲＳシーケンスにおいて、それぞれのＤＭＲＳシーケンスは異なるＯＦＤＭシンボル内で異なるサブキャリアを占有する。
【００８４】
具体的には、同一のＤＭＲＳサブシーケンスが、異なるＯＦＤＭシンボル内で占有するサブキャリアは固定サブキャリアオフセットを用いてもよく、又は同一のＤＭＲＳサブシーケンスが、異なるＯＦＤＭシンボル内で異なる周波数領域密度を用いてもよい。
【００８５】
１つの実施例において、前記Ｋの値が１より大きい場合、前記Ｋ個のＤＭＲＳシーケンス内で長さが同じのＤＭＲＳシーケンスは同じシーケンスを用いる。
【００８６】
例えば、同じのシーケンス長さと、同じルートシーケンスＩＤにより生成されたＺＣ（Ｚａｄｏｆｆ−Ｃｈｕ）シーケンスであってもよく、これは異なるシーケンスを用いる場合と比較してピーク対平均電力比を効果的に減らすことができる。
【００８７】
１つの実施例において、前記端末機器が第１ＤＭＲＳポートに対応するＤＭＲＳシーケンスの数Ｋを確定し、前記Ｋが１より大きい場合、前記端末機器は前記数Ｋに基づいて、前記Ｋ個のＤＭＲＳシーケンス内の異なるＤＭＲＳシーケンスが占有する物理リソース間のリソースオフセットを確定する。
【００８８】
Ｋの値は前記リソースオフセットを｛０、１、…、Ｋ−１｝の中の値であることを確定するために用いられる。例えば、端末機器は、Ｋの値に基づいて、前記リソースオフセットが｛０、１、…、Ｋ−１｝の中の値であることを確定する。前記リソースオフセットは、時間領域リソースオフセットであっても、周波数領域リソースオフセットであってもよい。例えば、異なるサブシーケンスの物理リソース間は、Ｎ個のサブキャリアがオフセットされてもよく、又はＮ個のＯＦＤＭシンボルがオフセットされてもよく、ここで、ｎは０以上Ｋ未満の整数である。本願は端末機器によってＫの値に基づいて、前記リソースオフセットを確定すると限定しない。
【００８９】
２２０では、確定された前記それぞれのＤＭＲＳシーケンスが占有する物理リソース上で、端末機器が、前記第１ＤＭＲＳポートを使用して、ネットワーク機器に前記それぞれのＤＭＲＳシーケンスを送信する。
【００９０】
２３０では、ネットワーク機器が、端末機器が第１復調基準信号ＤＭＲＳポートを使用して送信するＤＭＲＳシーケンスの数Ｋと、Ｋ個のＤＭＲＳシーケンス内のそれぞれのＤＭＲＳシーケンスが占有する物理リソースとを確定する。
【００９１】
１つの実施例において、前記ネットワーク機器は、前記端末機器が前記第１ＤＭＲＳポートを使用して前記ＤＭＲＳシーケンスを送信することに用いた多元接続方式に基づいて、前記端末機器が前記第１ＤＭＲＳポートを使用して送信するＤＭＲＳシーケンスの数Ｋ、及び／又は前記Ｋ個のＤＭＲＳシーケンス内のそれぞれのＤＭＲＳシーケンスが占有する物理リソースを確定する。
【００９２】
具体的には、ネットワーク機器は、第１対応関係及び前記端末機器が用いる多元接続方式に基づいて、前記端末機器が第１ＤＭＲＳポートを使用して送信するＤＭＲＳシーケンスの数Ｋを確定し、ここで、前記第１対応関係は、少なくとも１つの多元接続方式におけるそれぞれの多元接続方式において、前記第１ＤＭＲＳポートに対応するＤＭＲＳシーケンスの数を指示するために用いられる。
【００９３】
ネットワーク機器は、第２対応関係及び前記端末機器が用いる多元接続方式に基づいて、前記Ｋ個のＤＭＲＳシーケンス内のそれぞれのＤＭＲＳシーケンスが占有する物理リソースを確定し、ここで、前記第２対応関係は、前記少なくとも１つの多元接続方式におけるそれぞれの多元接続方式において、前記第１ＤＭＲＳポートに対応する少なくとも１つのＤＭＲＳシーケンス内で、それぞれのＤＭＲＳシーケンスに対応する物理リソースを指示するために用いられる。
【００９４】
２４０では、確定された前記各ＤＭＲＳシーケンスが占有する物理リソース上で、ネットワーク機器が前記端末機器から送信される前記それぞれのＤＭＲＳシーケンスを受信する。
【００９５】
したがって、本願の実施例において、１つのＤＭＲＳポートに対応するＤＭＲＳシーケンスの数は、唯一でなくてもよく、柔軟に変更することができ、例えば、直交多重を必要とする複数の端末機器が用いる多元接続方式に基づいて設置することができ、それにより異なる多元接続方式を用いる端末機器のマルチユーザ直交多重をサポートできる。そしてさらに、１つのＤＭＲＳポートに対応するＤＭＲＳシーケンスの数及びそれぞれのシーケンスが占有するリソースを柔軟に変更することができるため、異なる多元接続方式を用いる端末機器が少なくとも１つのＤＭＲＳシーケンスに対応するルートシーケンスがあるか及び／又は同じ物理リソースを占有することを実現でき、それにより異なる多元接続方式を用いる端末機器は異なる循環シフトを使用してＤＭＲＳ直交性を取得でき、したがって、さらに多い端末機器のマルチユーザ多重化伝送をサポートすることが実現できる。
【００９６】
本願をより明確に理解するために、以下では、ＤＦＴ−Ｓ−ＯＦＤＭの多元接続方式を例として、図４−９を参照しながら複数のＤＭＲＳシーケンスが占有するリソースについて説明する。
【００９７】
＜実施例１＞
図４と図５に示すように、Ｋ＝２である場合、端末機器１の２つのＤＭＲＳシーケンスはそれぞれ１つの物理リソースブロック（Ｐｈｙｓｉｃａｌ  Ｒｅｓｏｕｒｃｅ  Ｂｌｏｃｋ、ＰＲＢ）内の奇数サブキャリアと偶数サブキャリアを占有する。
【００９８】
ここで、ＤＭＲＳシーケンス２はＤＭＲＳシーケンス１と組み合わせてよりよいチャネル推定性能を取得することができる。
【００９９】
ここで、２つのＤＭＲＳシーケンスのシーケンスは同じであってもよい。
【０１００】
ここで、図４において、１つのＤＭＲＳシーケンスは２つのＯＦＤＭシンボルにおける同じサブキャリアを占有してもよく、図５において、１つのＤＭＲＳシーケンスは２つのＯＦＤＭシンボルにおける異なるサブキャリアを占有し、且つ異なる密度を用いる。
【０１０１】
ここで、ＤＦＴ−Ｓ−ＯＦＤＭ多元接続方式を用いる端末機器１のリソース占有状況が図４に示すとおりである場合、ＣＰ−ＯＦＤＭ多元接続方式を用いる端末機器２は図３に示すようなＤＭＲＳリソースの占有方式を用いてもよく、この時、端末機器１と端末機器２が同じリソース上で多重化されるとき、ＤＭＲＳシーケンス１は端末機器２のＤＭＲＳシーケンスと同じルートシーケンス及び異なる循環シフトを用いて直交性を取得できる。
【０１０２】
ここで、ＤＦＴ−Ｓ−ＯＦＤＭ多元接続方式を用いる端末機器１のリソース占有状況が図５に示すとおりである場合、ＣＰ−ＯＦＤＭ多元接続方式を用いる端末機器２から送信される１つのＤＭＲＳシーケンスのリソース占有方式は、ＤＭＲＳシーケンス１と同じであってもよく、ここで、ＣＰ−ＯＦＤＭ多元接続方式を用いる端末機器２から送信されるＤＭＲＳシーケンスは異なるＯＦＤＭで異なるｃｏｍｂを用いることができ、具体的には、ＯＦＤＭシンボル１上で、ｃｏｍｂ＝２であり、ＯＦＤＭシンボル２上で、ｃｏｍｂ＝４である。
【０１０３】
それにより、端末機器１と端末機器２から送信されるＤＭＲＳシーケンスで同じリソースを占有するシーケンスは、同じルートシーケンス及び異なる循環シフトを用いて直交性を取得することができる。
【０１０４】
＜実施例２＞
図６及び図７に示すように、Ｋ＝４である場合、端末機器３の４つのＤＭＲＳシーケンスはそれぞれ１つのＰＲＢ内の第｛４ｎ＋１、４ｎ＋２、４ｎ＋３、４ｎ＋４｝個目のサブキャリアを占有し、ｎ＝０、１、２である。
【０１０５】
ここで、図６において、１つのＤＭＲＳシーケンスは２つのＯＦＤＭシンボル内の同じサブキャリアを占有し、図７において、１つのＤＭＲＳシーケンスは２つのＯＦＤＭシンボル内の異なるサブキャリアを占有し、且つ固定サブキャリアオフセットを用いる。
【０１０６】
ＣＰ−ＯＦＤＭ波形を用いる端末機器４がＣｏｍｂ＝４であるＤＭＲＳシーケンスを用いる場合、端末機器３及び端末機器４が同じリソース上で多重化するとき、端末機器３の１つのＤＭＲＳシーケンス（例えば、ＤＭＲＳシーケンス１）は、端末機器４のＤＭＲＳシーケンスと同じルートシーケンス及び異なる循環シフトを用いて直交性を取得することができるとともに、ＤＭＲＳサブシーケンス｛２、３、４｝はＤＭＲＳサブシーケンス１とを組み合わせてよりよいチャネル推定性能を取得することができる。
【０１０７】
さらに、ＣＰ−ＯＦＤＭ多元接続方式を用いる端末機器のＤＭＲＳリソースが周波数領域上でオフセットすることをサポートする場合、ＤＦＴ−Ｓ−ＯＦＤＭ多元接続方式を用いる端末機器に対する追加設定を必要とせず、相互間のＤＭＲＳ直交性を保障できる。
【０１０８】
＜実施例３＞
図８及び図９に示すように、Ｋ＝２であり、端末機器５の２つのＤＭＲＳシーケンスにおいて、第１個目のＤＭＲＳシーケンスが１つのＰＲＢ内の第４ｎ＋１個目のサブキャリアを占有し、ｎ＝０、１、２であり、第２個目のＤＭＲＳシーケンスがＰＲＢ内の他のサブキャリアを占有する。
【０１０９】
ここで、図８において、１つのＤＭＲＳシーケンスは２つのＯＦＤＭシンボル内の同じサブキャリアを占有し、図９において、１つのＤＭＲＳシーケンスは、２つのＯＦＤＭシンボル内の異なるサブキャリアを占有し、且つ固定サブキャリアオフセットを用いる。
【０１１０】
ＣＰ−ＯＦＤＭ波形を用いる端末機器４がＣｏｍｂ＝４であるＤＭＲＳシーケンスを用いる場合、端末機器５及び端末機器４が同じリソース上で多重化するとき、ＤＭＲＳシーケンス１は端末機器４のＤＭＲＳシーケンスと同じルートシーケンス及び異なる循環シフトを用いて直交性を取得することができ、またＤＭＲＳシーケンス２はＤＭＲＳシーケンス１と組み合わせてよりよいチャネル推定性能を取得することができる。
【０１１１】
したがって、本願の実施例において、異なる多元接続方式を用いる端末機器がマルチユーザ多重化を行ってＤＭＲＳシーケンスを送信する状況で、各端末機器から送信されるＤＭＲＳシーケンスが占有するリソース及びｃｏｍｂを柔軟に設定することができ、それにより異なる多元接続方式の端末機器が循環シフトの方式により直交性を取得することをサポートすることができ、したがってマルチユーザ多重化を実施する。
【０１１２】
図１０は、本願の実施例に係る端末機器３００の概略ブロック図である。図１０に示すように、端末機器３００は、処理ユニット３１０と送信ユニット３２０とを含む。
【０１１３】
ここで、処理ユニット３１０は、第１復調基準信号ＤＭＲＳポートに対応するＤＭＲＳシーケンスの数Ｋと、Ｋ個のＤＭＲＳシーケンス内のそれぞれのＤＭＲＳシーケンスが占有する物理リソースとを確定するために用いられ、ここで、Ｋは正整数であり、送信ユニット３２０は、前記処理ユニットにより確定された前記それぞれのＤＭＲＳシーケンスが占有する物理リソース上で、前記第１ＤＭＲＳポートを使用して、ネットワーク機器に前記それぞれのＤＭＲＳシーケンスを送信するために用いられる。
【０１１４】
１つの実施例において、前記処理ユニット３１０は、さらに、
前記第１ＤＭＲＳポートを使用して前記ＤＭＲＳシーケンスを送信することに用いた多元接続方式に基づいて、前記第１ＤＭＲＳポートに対応するＤＭＲＳシーケンスの数Ｋ、及び／又は前記Ｋ個のＤＭＲＳシーケンス内のそれぞれのＤＭＲＳシーケンスが占有する物理リソースを確定するために用いられる。
【０１１５】
１つの実施例において、前記処理ユニット３１０は、さらに、
第１対応関係及び前記第１ＤＭＲＳポートを使用して前記ＤＭＲＳシーケンスを送信することに用いた多元接続方式に基づいて、前記第１ＤＭＲＳポートに対応するＤＭＲＳシーケンスの数Ｋを確定するために用いられ、
ここで、前記第１対応関係は、少なくとも１つの多元接続方式におけるそれぞれの多元接続方式において、前記第１ＤＭＲＳポートに対応するＤＭＲＳシーケンスの数を指示するために用いられる。
【０１１６】
１つの実施例において、前記処理ユニット３１０は、さらに、
第２対応関係及び前記第１ＤＭＲＳポートを使用して前記ＤＭＲＳシーケンスを送信することに用いた前記多元接続方式に基づいて、前記Ｋ個のＤＭＲＳシーケンス内のそれぞれのＤＭＲＳシーケンスが占有する物理リソースを確定するために用いられ、
ここで、前記第２対応関係は、前記少なくとも１つの多元接続方式におけるそれぞれの多元接続方式において、前記第１ＤＭＲＳポートに対応する少なくとも１つのＤＭＲＳシーケンス内で各ＤＭＲＳシーケンスに対応する物理リソースを指示するために用いられる。
【０１１７】
１つの実施例において、前記第１ＤＭＲＳポートを使用して前記ＤＭＲＳシーケンスを送信することに用いた多元接続方式が第１多元接続方式である場合、前記Ｋ個のＤＭＲＳシーケンスは第１ＤＭＲＳシーケンスを含み、ここで、前記第１ＤＭＲＳシーケンスは、前記第１多元接続方式と異なる第２多元接続方式を用いる場合に同一のＤＭＲＳポートを使用して伝送するＤＭＲＳシーケンスに含まれている第２ＤＭＲＳシーケンスと同じ物理リソースを占有するか及び／又は同じルートシーケンスを用いる。
【０１１８】
１つの実施例において、前記第１多元接続方式は離散フーリエ変換スプレッド直交周波数分割多重ＤＦＴ−Ｓ−ＯＦＤＭ多元接続方式であり、前記第２多元接続方式はサイクリックプレフィックス直交周波数分割多重ＣＰ−ＯＦＤＭ多元接続方式であり、又は、
前記第１多元接続方式はＣＰ−ＯＦＤＭ多元接続方式であり、前記第２多元接続方式はＤＦＴ−Ｓ−ＯＦＤＭ多元接続方式である。
【０１１９】
１つの実施例において、前記第１ＤＭＲＳポートを使用して前記ＤＭＲＳシーケンスを送信することに用いた多元接続方式がＤＦＴ−Ｓ−ＯＦＤＭ多元接続方式である場合、前記Ｋは１より大きい整数であり、及び／又は、
前記第１ＤＭＲＳポートを使用して前記ＤＭＲＳシーケンスを送信することに用いた多元接続方式がＣＰ−ＯＦＤＭ多元接続方式である場合、前記Ｋは１である。
【０１２０】
１つの実施例において、前記処理ユニット３１０は、さらに、
ネットワーク機器が前記ＤＭＲＳシーケンスに対応するデータ伝送をスケジューリングするダウンリンク制御情報ＤＣＩによって携帯したＤＭＲＳシーケンス指示情報に基づいて、前記第１ＤＭＲＳポートに対応するＤＭＲＳシーケンスの数Ｋを確定するために用いられる。
【０１２１】
１つの実施例において、前記Ｋは１より大きい整数である。
【０１２２】
１つの実施例において、前記Ｋの値が１より大きい場合、前記Ｋ個のＤＭＲＳシーケンス内で長さが同じのＤＭＲＳシーケンスは同じシーケンスを用いる。
【０１２３】
１つの実施例において、前記Ｋの値が１より大きい場合、少なくとも１つのＯＦＤＭシンボルにおいて、前記Ｋ個のＤＭＲＳシーケンス内の各ＤＭＲＳシーケンスはそれぞれ同じ周波数領域帯域幅内の異なるサブキャリアを占有する。
【０１２４】
１つの実施例において、前記Ｋ個のＤＭＲＳシーケンスのうち第ｍ個目のＤＭＲＳシーケンスが占有するサブキャリアは、前記周波数領域帯域幅内の第（ｍ＋ｉＫ）個目のサブキャリアであり、ここで、
【数５】
2020511038.tif 000030
であり、Ｓは前記周波数領域帯域幅に含まれるサブキャリアの数である。
【０１２５】
１つの実施例において、Ｋ＝２であり、且つ前記Ｋ個のＤＭＲＳシーケンスのうち第１個目のＤＭＲＳシーケンスが占有するサブキャリアは前記周波数領域帯域幅内の第（ｎ＋ｊＮ）個目のサブキャリアであり、第２個目のＤＭＲＳシーケンスは前記周波数領域帯域幅内の他のサブキャリアを占有し、ここで、
【数６】
2020511038.tif 000031
であり、Ｎは１より大きい正整数であり、ｎはＮ以下の正整数である。
【０１２６】
１つの実施例において、前記Ｋ個のＤＭＲＳシーケンスのうち少なくとも１つのＤＭＲＳシーケンス内のそれぞれのＤＭＲＳシーケンスは、異なるＯＦＤＭシンボルで異なるサブキャリアを占有する。
【０１２７】
１つの実施例において、前記処理ユニット３１０は、さらに、
第１ＤＭＲＳポートに対応するＤＭＲＳシーケンスの数Ｋを確定するため、
前記Ｋが１より大きい場合、前記数Ｋに基づいて、前記Ｋ個のＤＭＲＳシーケンス内の異なるＤＭＲＳシーケンスが占有する物理リソース間のリソースオフセットを確定するために用いられる。
【０１２８】
なお、前記端末機器３００は、方法２００における端末機器に対応でき、前記方法２００における端末機器の対応する機能を実現できることを理解されたい。ここでは、簡潔のために詳細な説明を省略する。
【０１２９】
図１１は、本願の実施例に係るネットワーク機器４００の概略ブロック図である。図１１に示すように、前記ネットワーク機器は、処理ユニット４１０と送受信ユニット４２０とを含む。
【０１３０】
ここで、処理ユニット４１０は、端末機器が第１復調基準信号ＤＭＲＳポートを使用して送信するＤＭＲＳシーケンスの数Ｋと、Ｋ個のＤＭＲＳシーケンス内のそれぞれのＤＭＲＳシーケンスが占有する物理リソースとを確定するために用いられ、送受信ユニット４２０は、確定された前記それぞれのＤＭＲＳシーケンスが占有する物理リソース上で、前記端末機器から送信される前記それぞれのＤＭＲＳシーケンスを受信するために用いられる。
【０１３１】
１つの実施例において、前記処理ユニット４１０は、さらに、
前記端末機器が前記第１ＤＭＲＳポートを使用して前記ＤＭＲＳシーケンスを送信することに用いた多元接続方式に基づいて、前記端末機器が前記第１ＤＭＲＳポートを使用して送信するＤＭＲＳシーケンスの数Ｋ、及び／又は前記Ｋ個のＤＭＲＳシーケンス内のそれぞれのＤＭＲＳシーケンスが占有する物理リソースを確定するために用いられる。
【０１３２】
１つの実施例において、前記処理ユニット４１０は、さらに、
第１対応関係及び前記端末機器が前記第１ＤＭＲＳポートを使用して前記ＤＭＲＳシーケンスを送信することに用いた多元接続方式に基づいて、前記端末機器が第１ＤＭＲＳポートを使用して送信するＤＭＲＳシーケンスの数Ｋを確定するために用いられ、ここで、  前記第１対応関係は、少なくとも１つの多元接続方式におけるそれぞれの多元接続方式において、前記第１ＤＭＲＳポートに対応するＤＭＲＳシーケンスの数を指示するために用いられる。
【０１３３】
１つの実施例において、前記処理ユニット４１０は、さらに、
第２対応関係及び前記端末機器が前記第１ＤＭＲＳポートを使用して前記ＤＭＲＳシーケンスを送信することに用いた多元接続方式に基づいて、前記Ｋ個のＤＭＲＳシーケンス内のそれぞれのＤＭＲＳシーケンスが占有する物理リソースを確定するために用いられ、ここで、
前記第２対応関係は、前記少なくとも１つの多元接続方式におけるそれぞれの多元接続方式において、前記第１ＤＭＲＳポートに対応する少なくとも１つのＤＭＲＳシーケンス内でそれぞれのＤＭＲＳシーケンスに対応する物理リソースを指示するために用いられる。
【０１３４】
１つの実施例において、前記送受信ユニット４２０は、さらに、
前記ＤＭＲＳシーケンスに対応するデータ伝送をスケジューリングするダウンリンク制御情報ＤＣＩによって携帯されたＤＭＲＳシーケンス指示情報によって、前記端末機器に前記第１ＤＭＲＳポートに対応するＤＭＲＳシーケンスの数Ｋを指示するために用いられる。
【０１３５】
１つの実施例において、前記端末機器が前記第１ＤＭＲＳポートを使用して前記ＤＭＲＳシーケンスを送信することに用いた多元接続方式がＤＦＴ−Ｓ−ＯＦＤＭ多元接続方式である場合、前記Ｋは１より大きい整数であり、及び／又は、
前記端末機器が前記第１ＤＭＲＳポートを使用して前記ＤＭＲＳシーケンスを送信することに用いた多元接続方式がＣＰ−ＯＦＤＭ多元接続方式である場合、前記Ｋは１である。
【０１３６】
１つの実施例において、前記Ｋは１より大きい整数である。
【０１３７】
１つの実施例において、前記Ｋの値が１より大きい場合、少なくとも１つのＯＦＤＭシンボルにおいて、前記Ｋ個のＤＭＲＳシーケンス内のそれぞれのＤＭＲＳシーケンスはそれぞれ同じ周波数領域帯域幅内の異なるサブキャリアを占有する。
【０１３８】
１つの実施例において、前記Ｋ個のＤＭＲＳシーケンスのうち少なくとも１つのＤＭＲＳシーケンス内のそれぞれのＤＭＲＳシーケンスは、異なるＯＦＤＭシンボルで異なるサブキャリアを占有する。
【０１３９】
なお、前記ネットワーク機器４００は、方法２００におけるネットワーク機器に対応でき、前記方法２００におけるネットワーク機器の対応する機能を実現でき、ここでは、簡潔のために詳細な説明を省略する。
【０１４０】
図１２は、本願の実施例に係る通信機器５００の概略ブロック図である。図１２に示すように、前記通信機器５００は、プロセッサ５１０とメモリ５２０とを含む。ここで、前記メモリ５２０は、プログラムコードに格納でき、前記プロセッサ５１０は、前記メモリ５２０に格納されているプログラムコードを実行できる。
【０１４１】
１つの実施例において、図１２に示すように、前記通信機器５００は送受信器５３０を含んでもよく、送受信器５３０と外部との通信を制御することができる。
【０１４２】
１つの実施例において、前記プロセッサ５１０は、メモリ５２０に格納されているプログラムコードを呼び出して、図２に示す方法２００における端末機器の対応する動作を実行することができ、ここでは、簡潔のために詳細な説明を省略する。
【０１４３】
１つの実施例において、前記プロセッサ５１０は、メモリ５２０に格納されているプログラムコードを呼び出して、図２に示す方法２００におけるネットワーク機器の対応する動作を実行することができ、ここでは、簡潔のために詳細な説明を省略する。
【０１４４】
図１３は、本願の実施例のシステムチップ６００の１つの概略構造図である。図１３のシステムチップ６００は、入力インターフェース６０１と、出力インターフェース６０２とを含み、前記プロセッサ６０３とメモリ６０４との間は通信接続により接続され、前記プロセッサ６０３は前記メモリ６０４内のコードを実行するために用いられる。
【０１４５】
１つの実施例において、前記コードが実行されるとき、前記プロセッサ６０３により、図２に示す方法２００における端末機器が実行する方法が実現される。ここでは、簡潔のために詳細な説明を省略する。
【０１４６】
１つの実施例において、前記コードが実行されるとき、前記プロセッサ６０３により、図２に示す方法２００におけるネットワーク機器が実行する方法が実現される。ここでは、簡潔のために詳細な説明を省略する。
【０１４７】
当業者は、本明細書に開示されている各実施例に記載の様々な例のユニットおよびアルゴリズムステップは、電子ハードウェア、またはコンピュータソフトウェアと電子ハードウェアの組み合わせにより実現され得ることを理解するであろう。これらの機能をハードウェアで実行するかまたはソフトウェアで実行するかは、技術的解決手段の特定の用途及び設計上の制限条件によって異なる。当業者は、各特定の用途に対して異なる方法で記載の機能を実現することができ、このような実施は、本願の範囲内のものと見なすべきである。
【０１４８】
当業者であれば明確に理解することができ、説明の便宜および簡潔さのため、上記のシステム、装置及びユニットの具体的な動作プロセスについては前述の方法の実施例の対応するプロセスを参照すればよく、ここでは詳細な説明を省略する。
【０１４９】
なお、本願に係るいくつかの実施例に開示されているシステム、装置及び方法は、その他の形態で実現されることができる。例えば、上述した装置の実施例は、例示的なものに過ぎず、例えば、前記各ユニットの分割は、論理的な機能分割に過ぎず、実際に実施する際にその他の形態で分割することもでき、例えば、複数のユニットまたは部品を組み合わせてもよく別のシステムに集積してもよく、または一部の特徴を無視するか実行しなくてもよい。また、説明される相互結合、直接結合または通信接続は、一部のインターフェース、装置またはユニットを介して間接的に結合されるものまたは通信接続されるものであってもよく、電気的形態、機械的形態もしくはその他形態であってもよい。
【０１５０】
分離されている部品として説明した前記ユニットは、物理的に分離したものであってもなくてもよい。ユニットとして表示された各部品は、物理的なユニットであってもなくてもよく、すなわち、同一の場所に設けられても、複数のネットワークユニットに配置されてもよい。実際の必要性に応じて、その中の一部のユニットまたは全てのユニットを用いて本実施例の目的を実現することができる。
【０１５１】
本願の各実施例において、各機能ユニットは、１つの処理ユニットに集積されてもよく、物理的に別々の部品として存在してもよく、２つ以上のユニットが１つのユニットに集積されてもよい。
【０１５２】
上記の各機能がソフトウェアの機能ユニットの形態で実施されて、独立した製品として販売または使用される場合、１つのコンピュータ可読記憶媒体に格納できる。このような理解に基づいて、本願の技術的解決手段は、本質上又は既存の技術に貢献がある部分或いは当該技術的解決手段の一部は、ソフトウェア製品の形態で具現化されることができ、当該コンピュータソフトウェア製品は１つの記憶媒体に格納され、コンピュータデバイス（パソコン、サーバ、またはネットワーク機器など）に本願の各実施例に係るすべての方法または一部のスデップを実行させるためのいくつかのコマンドを含む。前記記憶媒体は、ＵＳＢ、モバイルハードディスク、読み取り専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスクもしくはコンパクトディスクなど、プログラムコードを格納できる様々な媒体を含む。
【０１５３】
以上、本願の具体的な実施形態について説明したが、本願の保護範囲はこれらに限定されず、当業者であれば、本願に開示された技術的範囲内で容易に変更や置換することが想到でき、いずれも本願の保護範囲に含まれるべきである。したがって、本願の保護範囲は、特許請求の範囲に記載の保護範囲に準拠するものとする。
【手続補正２】
【補正対象書類名】特許請求の範囲
【補正対象項目名】全文
【補正方法】変更
【補正の内容】
【特許請求の範囲】
【請求項１】
端末機器が、第１復調基準信号ＤＭＲＳポートに対応するＤＭＲＳシーケンスの数Ｋと、Ｋ個のＤＭＲＳシーケンス内のそれぞれのＤＭＲＳシーケンスが占有する物理リソースとを確定し、ここで、Ｋは正整数であることと、
確定された前記それぞれのＤＭＲＳシーケンスが占有する物理リソース上で、前記第１ＤＭＲＳポートを使用して、ネットワーク機器に前記各ＤＭＲＳシーケンスを送信することとを含む、ことを特徴とする無線通信方法。
【請求項２】
端末機器が、第１復調基準信号ＤＭＲＳポートに対応するＤＭＲＳシーケンスの数Ｋを確定することは、
前記端末機器が、ネットワーク機器が前記ＤＭＲＳシーケンスに対応するデータ伝送をスケジューリングするダウンリンク制御情報ＤＣＩによって携帯したＤＭＲＳシーケンス指示情報に基づいて、前記第１ＤＭＲＳポートに対応するＤＭＲＳシーケンスの数Ｋを確定することを含む、ことを特徴とする請求項１に記載の方法。
【請求項３】
前記Ｋは、１より大きい整数であることを特徴とする請求項１又は２に記載の方法。
【請求項４】
前記Ｋの値が１より大きい場合、前記Ｋ個のＤＭＲＳシーケンス内で長さが同じのＤＭＲＳシーケンスは同じシーケンスを用いる、ことを特徴とする請求項１〜請求項３のいずれか１項に記載の方法。
【請求項５】
前記Ｋの値が１より大きい場合、少なくとも１つの直交周波数分割多重ＯＦＤＭシンボルにおいて、前記Ｋ個のＤＭＲＳシーケンス内のそれぞれのＤＭＲＳシーケンスはそれぞれ同じ周波数領域帯域幅内の異なるサブキャリアを占有する、ことを特徴とする請求項１〜請求項４のいずれか１項に記載の方法。
【請求項６】
前記Ｋ個のＤＭＲＳシーケンスのうち第ｍ個目のＤＭＲＳシーケンスが占有するサブキャリアは、前記周波数領域帯域幅内の第（ｍ＋ｉＫ）個目のサブキャリアであり、ここで、
【数１】
2020511038.tif 000032
であり、Ｓは前記周波数領域帯域幅に含まれるサブキャリアの数である、ことを特徴とする請求項５に記載の方法。
【請求項７】
前記Ｋ＝２であり、且つ前記Ｋ個のＤＭＲＳシーケンスのうち第１個目のＤＭＲＳシーケンスが占有するサブキャリアは前記周波数領域帯域幅内の第（ｎ＋ｊＮ）個目のサブキャリアであり、第２個目のＤＭＲＳシーケンスは前記周波数領域帯域幅内の他のサブキャリアを占有し、ここで、
【数２】
2020511038.tif 000033
であり、Ｎは１より大きい正整数であり、ｎはＮ以下の正整数である、ことを特徴とする請求項５に記載の方法。
【請求項８】
前記Ｋ個のＤＭＲＳシーケンスのうち少なくとも１つのＤＭＲＳシーケンス内のそれぞれのＤＭＲＳシーケンスは、異なるＯＦＤＭシンボルで異なるサブキャリアを占有する、ことを特徴とする請求項１〜請求項７のいずれか１項に記載の方法。
【請求項９】
端末機器が、第１ＤＭＲＳポートに対応するＤＭＲＳシーケンスの数Ｋと、Ｋ個のＤＭＲＳシーケンス内のそれぞれのＤＭＲＳシーケンスが占有する物理リソースとを確定する前記ことは、
前記端末機器が、第１ＤＭＲＳポートに対応するＤＭＲＳシーケンスの数Ｋを確定することと、
前記Ｋが１より大きい場合、前記端末機器が前記数Ｋに基づいて、前記Ｋ個のＤＭＲＳシーケンス内で異なるＤＭＲＳシーケンスが占有する物理リソース間のリソースオフセットを確定することとを含む、ことを特徴とする請求項１〜請求項８のいずれか１項に記載の方法。
【請求項１０】
ネットワーク機器が、端末機器が第１復調基準信号ＤＭＲＳポートを使用して送信するＤＭＲＳシーケンスの数Ｋと、Ｋ個のＤＭＲＳシーケンス内のそれぞれのＤＭＲＳシーケンスが占有する物理リソースとを確定することと、
確定された前記それぞれのＤＭＲＳシーケンスが占有する物理リソース上で、前記端末機器から送信される前記それぞれのＤＭＲＳシーケンスを受信することとを含む、ことを特徴とする無線通信方法。
【請求項１１】
前記方法は、さらに、
前記ネットワーク機器が、前記ＤＭＲＳシーケンスに対応するデータ伝送をスケジューリングするダウンリンク制御情報ＤＣＩによって携帯したＤＭＲＳシーケンス指示情報により、前記端末機器に前記第１ＤＭＲＳポートに対応するＤＭＲＳシーケンスの数Ｋを指示することを含む、ことを特徴とする請求項１０に記載の方法。
【請求項１２】
前記Ｋは、１より大きい整数であることを特徴とする請求項１０又は１１に記載の方法。
【請求項１３】
前記Ｋの値が１より大きい場合、少なくとも１つのＯＦＤＭシンボルにおいて、前記Ｋ個のＤＭＲＳシーケンス内のそれぞれのＤＭＲＳシーケンスはそれぞれ同じ周波数領域帯域幅内の異なるサブキャリアを占有する、ことを特徴とする請求項１０〜請求項１２のいずれか１項に記載の方法。
【請求項１４】
前記Ｋ個のＤＭＲＳシーケンスのうち少なくとも１つのＤＭＲＳシーケンス内のそれぞれのＤＭＲＳシーケンスは、異なるＯＦＤＭシンボルで異なるサブキャリアを占有する、ことを特徴とする請求項１０〜請求項１３のいずれか１項に記載の方法。
【請求項１５】
第１復調基準信号ＤＭＲＳポートに対応するＤＭＲＳシーケンスの数Ｋと、Ｋ個のＤＭＲＳシーケンス内のそれぞれのＤＭＲＳシーケンスが占有する物理リソースとを確定するために用いられ、ここで、Ｋは正整数である処理ユニットと、
前記処理ユニットにより確定された前記それぞれのＤＭＲＳシーケンスが占有する物理リソース上で、前記第１ＤＭＲＳポートを使用して、ネットワーク機器に前記それぞれのＤＭＲＳシーケンスを送信するために用いられる送信ユニットとを含む、ことを特徴とする端末機器。
【請求項１６】
前記処理ユニットは、さらに、
ネットワーク機器が前記ＤＭＲＳシーケンスに対応するデータ伝送をスケジューリングするダウンリンク制御情報ＤＣＩによって携帯したＤＭＲＳシーケンス指示情報に基づいて、前記第１ＤＭＲＳポートに対応するＤＭＲＳシーケンスの数Ｋを確定するために用いられる、ことを特徴とする請求項１５に記載の端末機器。
【請求項１７】
前記Ｋは、１より大きい整数であることを特徴とする請求項１５又は１６に記載の端末機器。
【請求項１８】
前記Ｋの値が１より大きい場合、前記Ｋ個のＤＭＲＳシーケンス内で長さが同じのＤＭＲＳシーケンスは同じシーケンスを用いる、ことを特徴とする請求項１５〜請求項１７のいずれか１項に記載の端末機器。
【請求項１９】
前記Ｋの値が１より大きい場合、少なくとも１つの直交周波数分割多重ＯＦＤＭシンボルにおいて、前記Ｋ個のＤＭＲＳシーケンス内のそれぞれのＤＭＲＳシーケンスはそれぞれ同じ周波数領域帯域幅内の異なるサブキャリアを占有する、ことを特徴とする請求項１５〜請求項１８のいずれか１項に記載の端末機器。
【請求項２０】
前記Ｋ個のＤＭＲＳシーケンスのうち第ｍ個目のＤＭＲＳシーケンスが占有するサブキャリアは、前記周波数領域帯域幅内の第（ｍ＋ｉＫ）個目のサブキャリアであり、ここで、    
【数３】
2020511038.tif 000034
であり、Ｓは前記周波数領域帯域幅に含まれるサブキャリアの数である、ことを特徴とする請求項１９に記載の端末機器。
【請求項２１】
前記Ｋ＝２であり、且つ前記Ｋ個のＤＭＲＳシーケンスのうち第１個目のＤＭＲＳシーケンスが占有するサブキャリアは前記周波数領域帯域幅内の第（ｎ＋ｊＮ）個目のサブキャリアであり、第２個目のＤＭＲＳシーケンスは前記周波数領域帯域幅内の他のサブキャリアを占有し、ここで、
【数４】
2020511038.tif 000035
であり、Ｎは１より大きい正整数であり、ｎはＮ以下の正整数である、ことを特徴とする請求項１９に記載の端末機器。
【請求項２２】
前記Ｋ個のＤＭＲＳシーケンスのうち少なくとも１つのＤＭＲＳシーケンス内のそれぞれのＤＭＲＳシーケンスは、異なるＯＦＤＭシンボルで異なるサブキャリアを占有する、ことを特徴とする請求項１５〜請求項２１のいずれか１項に記載の端末機器。
【請求項２３】
前記処理ユニットは、さらに、
第１ＤＭＲＳポートに対応するＤＭＲＳシーケンスの数Ｋを確定するため、
前記Ｋが１より大きい場合、前記数Ｋに基づいて、前記Ｋ個のＤＭＲＳシーケンス内の異なるＤＭＲＳシーケンスが占有する物理リソース間のリソースオフセットを確定するために用いられる、ことを特徴とする請求項１５〜請求項２２のいずれか１項に記載の端末機器。
【国際調査報告】
2020511038.tif 000036
2020511038.tif 000037
2020511038.tif 000038
2020511038.tif 000039
2020511038.tif 000040
2020511038.tif 000041